(57)【要約】【課題】高データ速度転送のために多数の無線通信チャンネルをまとめること。【解決手段】モバイル無線端末（ＭＷＴ）２０６は、予め定めたシーケンス規則に従って、地上ネットワーク２３４に向けられたＩＰパケットを取得する（４０４）。ＭＷＴ２０６は、各ＩＰパケットを小さなパケットフラグメントに断片化し（４０６）、各々に識別情報を付加し（４０８）、このパケットフラグメントを、同時に動作している衛星チャンネル２４０ａ〜２４０ｎを介して互いに並行に送信する（４１６）。受信局１８０は、ＭＷＴ２０６によって送信されたパケットフラグメントを受信し（９０４）、パケットフラグメントに付加された識別情報に基づいて、受信したパケットフラグメントをネットワーク接続を介して地上コントローラ２３２に転送する。地上コントローラ２３２は、パケットフラグメントを、付加された識別情報に基づいて、再構築されたＩＰパケットと結合する（９０８）。
2005507211.tif 000002
【特許請求の範囲】
【請求項１】
多数のコード分割多元アクセス通信チャンネルをまとめる方法であって、
（ａ）少なくとも一つのインターネットプロトコルデータバケットを受信することと、
（ｂ）前記インターネットプロトコルデータパケットを、それよりも小さな複数のパケットフラグメントに断片化することと、
（ｃ）フラグメント識別子とパケットシーケンス識別子とを各パケットフラグメントに付加することと、
（ｄ）インターネットプロトコルアドレスを含むインターネットプロトコルヘッダを、各パケットフラグメントに付加することと、
（ｅ）同時に動作している複数のコード分割多元アクセス通信チャンネルを介して、前記複数のパケットフラグメントを無線で送信することと
を備えた方法。
【請求項２】
請求項１に記載の方法において、
前記ステップ（ａ）は、予め定めたシーケンス規則にしたがって、複数のインターネットプロトコルデータパケットを受信することを備えており、
前記方法は更に、
（ｆ）各インターネットプロトコルデータパケットについて、前記ステップ（ｂ）から前記ステップ（ｅ）を実行し、送信された各々のパケットフラグメントが、前記予め定めたシーケンス規則にしたがって受信されたインターネットプロトコルデータパケットのうちの対応する一つのシーケンス識別子を含むようにした方法。
【請求項３】
請求項１に記載の方法において、前記ステップ（ｅ）は、
同時に動作している通信チャンネルの対応する一つを介して、前記複数のパケットフラグメントのうちの少なくとも二つを同時に送信することを備えた方法。
【請求項４】
請求項１に記載の方法において、前記ステップ（ｄ）は、
前記ステップ（ｅ）において前記パケットフラグメントが送信される通信チャンネルのそれぞれの一つに対応しているトランスポートプロトコルヘッダを、前記インターネットプロトコルヘッダに加えて、各パケットフラグメントに付加するようにした方法。
【請求項５】
請求項１に記載の方法において、
前記各コード分割多元アクセス通信チャンネルは、衛星通信リンクを含んでおり、前記ステップ（ｅ）は、前記複数のパケットフラグメントを、前記複数の衛星通信リンクを介して送信することを備えた方法。
【請求項６】
請求項１に記載の方法において、更に前記ステップ（ｅ）の前に、
同時に動作しているコード分割多元アクセス通信チャンネルの各々を確立することを備えた方法。
【請求項７】
請求項１に記載の方法において、更に前記ステップ（ｅ）の前に、
同時に動作している複数のコード分割多元アクセス通信チャンネルのうちの選択された一つを介して送信される前記各パケットフラグメントをスケジュールすることを備えた方法。
【請求項８】
請求項７に記載の方法において、前記スケジュールするステップは、
予め定めたチャンネル選択規則にしたがって、前記各通信チャンネルを選択することと、
前記予め定めたチャンネル選択規則にしたがって、前記選択された通信チャンネルのそれぞれの一つを介して送信される前記各パケットフラグメントをスケジュールすることと
を備えた方法。
【請求項９】
請求項７に記載の方法において、前記スケジュールするステップは、
前記通信チャンネルの各々に関連したデータエラー率を監視することと、
前記監視されたデータエラー率に基づいて、前記複数の通信チャンネルから、好適な通信チャンネルのセットを選択することと、
前記好適な通信チャンネルのセットを介して送信される前記複数のパケットフラグメントをスケジュールすることと
を備えた方法。
【請求項１０】
多数のコード分割多元アクセス通信チャンネルをまとめる方法であって、
（ａ）同時に動作している複数のコード分割多元アクセス通信チャンネルを介して、各パケットフラグメント識別子と、インターネットプロトコルパケットフラグメントをインターネットプロトコルデータパケットに関連付けているパケットシーケンス識別子と、インターネットプロトコルアドレスを含むインターネットプロトコルヘッダとを各々含んでいる複数のインターネットプロトコルパケットフラグメントを無線で受信することと、
（ｂ）受信した各インターネットプロトコルパケットフラグメントを、前記インターネットプロトコルヘッダに含まれた前記インターネットプロトコルアドレスにルーティングすることと、
（ｃ）前記フラグメント識別子と前記パケットシーケンス識別子とに基づいて、前記ルーティングされたインターネットプロトコルパケットフラグメントを、前記関連付けられているインターネットプロトコルデータパケットに結合することと
を備えた方法。
【請求項１１】
請求項１０に記載の方法において、前記ステップ（ａ）で受信された複数のインターネットプロトコルパケットフラグメントは、複数の異なるインターネットプロトコルデータパケットに関連付けられており、
（ｄ）前記異なるインターネットプロトコルデータパケットの各々について、前記ステップ（ｂ）と前記ステップ（ｃ）とを繰り返し、再構築された複数のインターネットプロトコルデータパケットを生成することと、
（ｅ）前記パケットシーケンス識別子に基づいて、前記再構築された複数のインターネットプロトコルデータパケットを並べることと
を更に備えた方法。
【請求項１２】
請求項１１に記載の方法において、前記ステップ（ｅ）は、
前記ステップ（ｄ）からの再構築されたインターネットプロトコルデータパケットが、前記パケットシーケンス識別子によって表された予め定めたシーケンス規則に関して無秩序である場合に、前記再構築された複数のインターネットプロトコルデータパケットを再要求することを備えている方法。
【請求項１３】
請求項１０に記載の方法において、前記ステップ（ａ）で受信された複数のインターネットプロトコルパケットフラグメントは、複数の異なるインターネットプロトコルデータパケットに関連しており、
前記異なるインターネットプロトコルデータパケットの各々について、前記ステップ（ｂ）と前記ステップ（ｃ）とを繰り返し、前記シーケンス識別子に関連したパケットシーケンス規則にしたがって、再構築された複数のインターネットプロトコルデータパケットを生成することを更に備えており、前記ステップ（ｃ）は、前記結合するステップに先立って、前記パケットシーケンス識別子にしたがって、前記結合するステップが前記パケットシーケンス規則にしたがって前記再構築されたインターネットプロトコルデータパケットを生成できるように、前記複数のパケットフラグメントを並べること
を備えている方法。
【請求項１４】
請求項１０に記載の方法において、前記ステップ（ａ）は、
前記同時に動作している通信チャンネルのうちの対応する一つを介して、前記複数のパケットフラグメントのうちの少なくとも二つを同時に受信することを備えた方法。
【請求項１５】
請求項１０に記載の方法において、更にステップ（ａ）に先だって、
同時に動作しているコード分割多元アクセス通信チャンネルの各々を確立することを備えた方法。
【請求項１６】
請求項１０に記載の方法において、
前記コード分割多元アクセス通信チャンネルの各々は、衛星通信リンクを含んでいる方法。
【請求項１７】
多数のコード分割多元アクセス通信チャンネルをまとめる方法であって、
（ａ）少なくとも一つのインターネットプロトコルデータパケットを受信することと、
（ｂ）前記インターネットプロトコルデータパケットを、それよりも小さな複数のパケットフラグメントに断片化することと、
（ｃ）フラグメント識別子とパケットシーケンス識別子とを各パケットフラグメントに付加することと、
（ｄ）インターネットプロトコルアドレスを含むインターネットプロトコルヘッダを、各パケットフラグメントに付加することと、
（ｅ）同時に動作している複数のコード分割多元アクセス通信チャンネルを介して、前記複数のパケットフラグメントを無線で送信することと、
（ｆ）前記複数のインターネットプロトコルパケットフラグメントを無線で受信することと、
（ｇ）受信された各インターネットプロトコルパケットフラグメントを、インターネットプロトコルヘッダに含まれたインターネットプロトコルアドレスにルーティングすることと、
（ｈ）前記フラグメント識別子と前記パケットシーケンス識別子とに基づいて、前記ルーティングされたインターネットプロトコルパケットフラグメントを、前記少なくとも一つのインターネットプロトコルデータパケットに再結合することと
を備えた方法。
【請求項１８】
請求項１７に記載の方法において、前記ステップ（ａ）は、予め定めたシーケンス規則にしたがって、複数のインターネットプロトコルデータパケットを受信することを備え、前記ステップ（ｂ）から前記ステップ（ｈ）までが、前記複数のインターネットプロトコルデータパケットの各々に対して繰り返されることによって、再構築された複数のインターネットプロトコルデータアドレスを生成し、
（ｉ）前記パケットシーケンス識別子に基づいて、前記予め定めたシーケンス規則にしたがって、前記再構築された複数のインターネットプロトコルデータパケットを並べることを更に備えた方法。
【請求項１９】
多数のコード分割多元アクセス通信チャンネルをまとめるために使用される送信システムであって、
少なくとも一つのインターネットプロトコルデータパケットを受信するために適用された一つ以上のコントローラと、複数の無線モデムとを備えており、
前記一つ以上のコントローラのうちの少なくとも一つは、
前記インターネットプロトコルデータパケットを、それよりも小さな複数のパケットフラグメントに断片化し、フラグメント識別子とパケットシーケンス識別子とを各パケットフラグメントに付加するフラグメンタと、
インターネットプロトコルアドレスを含むインターネットプロトコルヘッダを、各パケットフラグメントに付加するインターネットプロトコルモジュールとを備えており、
前記複数の無線モデムは、同時に動作している複数のコード分割多元アクセス通信チャンネルのうちの対応する一つを介して、前記複数のパケットフラグメントを無線で送信するように適用されている送信システム。
【請求項２０】
請求項１９に記載のシステムにおいて、
前記一つ以上のコントローラは、予め定めたシーケンス規則に従って、複数のインターネットプロトコルデータパケットを受信するように適用されており、
前記フラグメンタは、前記複数のインターネットプロトコルデータパケットの各々を、より小さな複数のインターネットプロトコルパケットフラグメントに断片化し、前記パケットフラグメントの各々に、フラグメント識別子と、前記予め定めたシーケンス規則に対応したパケットシーケンス識別子とを付加するように適用されており、
前記インターネットプロトコルモジュールは、インターネットプロトコルアドレスを含むインターネットプロトコルヘッダを、前記パケットフラグメントの各々に付加するように適用されており、
前記複数の無線モデムは、前記対応する同時に動作しているコード分割多元アクセスチャンネルを介して、前記複数のインターネットプロトコルデータパケットに属するパケットフラグメントを送信するように適用されているシステム。
【請求項２１】
請求項１９に記載のシステムにおいて、前記一つ以上のコントローラは、前記無線モデムのうちの少なくとも二つに対して、前記同時に動作している通信チャンネルの対応する一つを介して、前記複数のパケットフラグメントのうちの少なくとも二つを同時に送信させるように適用されているシステム。
【請求項２２】
請求項１９に記載のシステムにおいて、前記インターネットプロトコルモジュールは、前記無線モデムのうちのそれぞれと前記パケットフラグメントが送信される通信チャンネルとに対応しているトランスポートプロトコルヘッダを、前記インターネットプロトコルヘッダに加えて各パケットフラグメントに加えるように適用されているシステム。
【請求項２３】
請求項１９に記載のシステムにおいて、前記無線モデムの各々は、コード分割多元アクセス衛星通信信号を送信するように適用された衛星モデムであるシステム。
【請求項２４】
請求項１９に記載のシステムにおいて、前記一つ以上のコントローラは、前記同時に動作しているコード分割多元アクセス通信チャンネルの各々を確立するように適用されているシステム。
【請求項２５】
請求項１９に記載のシステムにおいて、前記一つ以上のコントローラの少なくとも一つは、前記同時に動作している複数のコード分割多元アクセス通信チャンネルのうちの選択された一つを介して送信される前記各パケットフラグメントをスケジュールするスケジューラを含んでいるシステム。
【請求項２６】
請求項２５に記載のシステムにおいて、前記スケジューラは、
予め定めたチャンネル選択規則にしたがって、前記各通信チャンネルを選択する手段と、
前記予め定めたチャンネル選択規則にしたがって選択された通信チャンネルの対応する一つを介して送信される前記各パケットフラグメントをスケジュールする手段と
を含んでいるシステム。
【請求項２７】
請求項２５に記載のシステムにおいて、
前記コントローラのうちの少なくとも一つは、前記通信チャンネルの各々に関連したデータエラー率を監視する手段と、前記スケジューラとを含んでおり、
前記スケジューラは、
前記監視されたデータエラー率に基づいて、前記複数の通信チャンネルから、好適な通信チャンネルのセットを選択する手段と、
前記好適な通信チャンネルのセットを介して送信される前記複数のパケットフラグメントをスケジュールする手段と
を含んでいるシステム。
【請求項２８】
請求項１９に記載のシステムにおいて、前記一つ以上のコントローラと、前記無線モデムとは、モバイル無線端末に存在するシステム。
【請求項２９】
請求項１９に記載のシステムにおいて、前記一つ以上のコントローラは、共に一つ以上の地上ベースのパケットデータネットワークに接続されたゲートウェイ局と地上コントローラとに分割されており、前記無線モデムは、前記ゲートウェイ局に存在するシステム。
【請求項３０】
多数のコード分割多元アクセス通信チャンネルをまとめる受信システムであって、
複数の無線モデムと、一つ以上のコントローラとを備え、
前記複数の通信モデムは、同時に動作している複数のコード分割多元アクセス通信チャンネルを介して、複数のインターネットプロトコルパケットフラグメントを無線で受信するように適用されている一方、前記通信チャンネルの各々は前記無線モデムのうちのそれぞれ一つに対応しており、前記パケットフラグメントの各々は、フラグメント識別子、前記インターネットプロトコルパケットフラグメントをインターネットプロトコルデータパケットに関連付けているパケットシーケンス識別子、およびインターネットプロトコルアドレスを含むインターネットプロトコルヘッダを含んでおり、
前記一つ以上のコントローラのうちの少なくとも一つは、
受信された各パケットフラグメントを、前記インターネットプロトコルヘッダに含まれた前記インターネットプロトコルアドレスにルーティングする手段と、
前記フラグメント識別子と前記パケットシーケンス識別子とに基づいて、前記ルーティングされたインターネットプロトコルパケットフラグメントをこの関連するインターネットプロトコルデータパケットに再結合するデフラグメンタと
を有している受信システム。
【請求項３１】
請求項３０に記載のシステムにおいて、前記複数のパケットフラグメントは、複数の異なるインターネットプロトコルデータパケットに関連付けられており、
前記ルーティング手段は、前記複数の異なるインターネットプロトコルデータパケットのうちの各々に属するパケットフラグメントの各々を、それが送信されるチャンネルのインターネットプロトコルアドレスにルーティングするように適用されており、
前記デフラグメンタは、前記ルーティングされたパケットフラグメントを、関連するインターネットプロトコルデータパケットに再結合し、それによって、再構築された複数のインターネットプロトコルデータパケットを生成するように適用されており、
前記一つ以上のコントローラのうちの少なくとも一つは、前記パケットシーケンス識別子に基づいて、前記再構築された複数のインターネットプロトコルデータパケットを並べるシーケンサを含んでいるシステム。
【請求項３２】
請求項３０に記載のシステムにおいて、前記複数の無線モデムは、前記同時に動作している通信チャンネルのうちの対応する一つを介して、前記複数のパケットフラグメントのうちの少なくとも二つを同時に受信するように適用されたシステム。
【請求項３３】
請求項３０に記載のシステムにおいて、前記一つ以上のコントローラは、同時に動作しているコード分割多元アクセス通信チャンネルの各々を確立するシステム。
【請求項３４】
請求項３０に記載のシステムにおいて、前記無線モデムの各々は、前記対応するコード分割多元アクセス通信チャンネルを介して、コード分割多元アクセス衛星信号を受信するように適用された衛星モデムであるシステム。
【請求項３５】
請求項３０に記載のシステムにおいて、前記一つ以上のコントローラと、前記無線モデムとは、モバイル無線端末に存在するシステム。
【請求項３６】
請求項３０に記載のシステムにおいて、前記一つ以上のコントローラは、共に一つ以上の地上ベースのパケットデータネットワークに接続されたゲートウェイ局および地上コントローラに分配されており、前記地上コントローラは、前記インターネットプロトコルパケットフラグメントヘッダに含まれたインターネットプロトコルアドレスに対応したインターネットプロトコルアドレスを有しており、前記無線モデムは前記ゲートウェイ局に存在するシステム。
【請求項３７】
多数のコード分割多元アクセス通信チャンネルをまとめるために使用されるシステムであって、
一つ以上のモバイルコントローラおよび第１の複数の無線モデムを含むモバイル無線端末と、第２の複数の無線モデムを含む受信局と、地上コントローラとを備えており、
前記一つ以上のコントローラは、少なくとも一つのインターネットプロトコルデータパケットを受信するように適用されており、前記一つ以上のコントローラのうちの少なくとも一つは、
前記インターネットプロトコルデータパケットを、それよりも小さな複数のパケットフラグメントに断片化し、フラグメント識別子とパケットシーケンス識別子とを各パケットフラグメントに付加するするフラグメンタと、
インターネットプロトコルアドレスを含む前記インターネットプロトコルヘッダを、各パケットフラグメントに付加するするインターネットプロトコルモジュールとを有しており、
前記第１の複数の無線モデムは、同時に動作している複数のコード分割多元アクセス衛星通信チャンネルのうちの対応する一つを介して、前記複数のパケットフラグメントを無線で送信するように構成されており、
前記受信局は、前記衛星通信チャンネルを介して、前記パケットフラグメントを受信するように適用されており、更には前記パケットフラグメントインターネットプロトコルアドレスに基づくネットワークを介して、前記パケットフラグメントの各々をルーティングする手段を含んでおり、
前記地上局は、前記パケットフラグメントインターネットプロトコルアドレスに対応したインターネットプロトコルアドレスを有し、前記ネットワークから前記パケットフラグメントを受信するように適用されており、更には前記フラグメント識別子と前記パケットシーケンス識別子とに基づいて、前記パケットフラグメントを、再構築されたインターネットプロトコルデータパケットに結合するためのデフラグメンタを含んでいるシステム。
【発明の詳細な説明】
【技術分野】
【０００１】
本発明は、無線通信システムに関し、更に詳しくは、データネットワーク環境で動作可能なシステムに関する。
【背景技術】
【０００２】
モバイル通信システムの使用がより普及してきたことにより、より洗練されたサービスに対する要求が大きくなってきた。モバイル通信システムの能力ニーズを満足するために、制限された通信リソースに対する多元アクセスの技術が開発された。コード分割多元アクセス（ＣＤＭＡ）変調技術は、極めて多数のシステムユーザが存在する通信を容易にするための技術の一つである。当該技術分野では、時分割多元アクセス（ＴＤＭＡ）や、周波数分割多元アクセス（ＦＤＭＡ）のような他の多元アクセス通信システム技術が知られている。
【０００３】
多元アクセス通信システムにおけるＣＤＭＡ技術は、当該技術分野では知られており、本発明の譲受人に譲渡されている米国特許番号４，９０１，３０７「Spread Spectrum Multiple Access Communication System Using Satellite Or Terrestrial Repeaters」（１９９０年２月１３日登録）（特許文献１）に開示されている。
【０００４】
公知の衛星通信システムは、衛星通信チャンネルあるいはリンクを介して、地理的に離れたユーザ端末間の無線接続性を有利に提供する。衛星通信システムに基づいた典型的なＣＤＭＡは、本発明の譲受人に譲渡されている米国特許番号５，８１２，５３８「Multiple Satellite Repeater Capacity Loading With Multiple Spread Spectrum Gateway Antennas」（１９９８年９月２２日登録）（特許文献２）に開示されている。ユーザ端末は、衛星通信リンクのデータ送信帯域幅で制限された最大データ速度で、データを互いに交換することができる。データ送信帯域幅、すなわち、ユーザ端末が無線通信リンクを介してデータを交換できる最大のデータ速度の増加に対する逼迫した必要性が常時存在する。
【０００５】
コンピュータクライアントとサーバとが、インターネット接続のようなデータネットワーク接続を介して互いに通信することは普通のことである。モバイルクライアントとサーバとの間のネットワーク接続を可能とする衛星通信リンクのような無線リンクを使った接続を確立することは望ましい。また、上述したような理由により、データ送信帯域幅を最大化するためには、このような無線ネットワーク接続を使うのが望ましい。
【０００６】
上述したクライアントとサーバとは、ＴＣＰ／ＩＰのようなＩＰプロトコルスイートから選択されたプロトコルを使って、クライアントとサーバとの間のネットワーク接続を介してデータパケットを互いに交換することができる。このようなデータパケットは、ＩＰデータパケット（またはＩＰパケット）と称される。このネットワーク接続は、クライアントとサーバとの間を行き来するＩＰパケットの再要求をもたらしうる。というのも、異なるＩＰパケットは、異なるネットワーク経路を介して、クライアントとサーバとの間でルーティングされうるからである。以上述べたような理由のために、ネットワーク接続において無線リンクを含むことは望ましい。
【０００７】
上述した衛星通信リンクを含む無線リンクは、信頼性のある無線データ送信を保証するために、重要なエラー修正プロトコルを実行する。このエラー修正プロトコルは、ＩＰパケットがネットワーク接続を超えて行き来すると、更なるＩＰパケットの再要求をもたらす。その結果、予め定めたシーケンス規則にしたがって、クライアントによって送信されたＩＰパケットは、無秩序なシーケンスにしたがってサーバに到達するかもしれない。そのような累積的なＩＰパケット再要求は、例えばネットワーク接続のデータ送信帯域幅を不利に減少させるＩＰパケット再送信のような様々なＴＣＰ／ＩＰエラー修正メカニズムをもたらしうる。従って、累積的なＩＰパケット再要求を回避することができ、クライアントとサーバとの間の高データ速度転送を維持するために、衛星通信リンクのような信頼できる無線リンクを含むネットワーク接続を介して、クライアントとサーバとの間のＩＰパケットをルーティングする必要がある。
【特許文献１】
米国特許番号４，９０１，３０７
【特許文献２】
米国特許番号５，８１２，５３８
【特許文献３】
米国特許出願番号６０／３３５，６８０
【発明の開示】
【０００８】
本発明は、無線通信システムにおいて、例えば衛星通信チャンネルの様な多元無線通信チャンネルを、共通の無線リンクにまとめることによってＩＰパケットを転送する方法である。これによって、チャンネルの効果的なデータ送信帯域幅、すなわちユーザ端末がこの共通の無線リンクを介してデータを交換することができる最大データ速度を増大させることができる。
【０００９】
本発明は、例えば衛星通信リンクのようなエンドユーザ端末（例えばクライアントとサーバ）間のネットワーク接続を確立するために使用することができる。これによって、モバイルクライアントとサーバとの間のネットワーク接続を可能にする。本発明は、このような無線ネットワーク接続を使った場合には、データ送信帯域幅を最大にし、高データ速度転送を達成することができる。
【００１０】
本発明は、衛星通信リンクのような信頼性の高い無線リンクを含むネットワーク接続を介して、累積するＩＰパケット再要求を回避するように、エンドユーザ端末間のＩＰパケットをルーティングする。これによって、エンドユーザ間の高データ速度転送を維持する。
【００１１】
本発明は、多数の信頼できる無線通信リンクを、ＴＣＰ／ＩＰのような標準のネットワークプロトコルに対してわかりやすくなるように、インターネットのようなネットワーク環境で動作している共通の通信チャンネルにまとめる。
【００１２】
本発明の一例のシステムでは、本発明のモバイル部から地上部へと行き来しているＩＰパケットを搬送する通信チャンネルをまとめる。このモバイル部は、モバイル無線端末ＭＷＴを含む。このＭＷＴは、地上ネットワークに向けられたＩＰパケットを、モバイル部におけるネットワークから取得する。このＭＷＴは、予め定めたシーケンス規則にしたがって、モバイルネットワークからＩＰパケットを取得する。ＭＷＴは、ＩＰパケットの各々を、多くのより小さなパケットフラグメントに断片化し、このパケットフラグメントの各々に識別情報を付加し、このパケットフラグメントを、同時に動作している衛星チャンネルを介して、互いに並行に送信する。
【００１３】
地上部は、ゲートウェイ局のような受信局と、一つ以上のデータネットワークを介してゲートウェイ局に接続された地上コントローラとを含んでいる。この受信局は、ＭＷＴによって送信されたパケットフラグメントを無線により受信する。この受信局は、パケットフラグメントに付加された識別情報に基づいて、この受信したパケットフラグメントをネットワーク接続を介して地上コントローラに転送する。このパケットフラグメントは、しばしば実質的に無秩序で、受信局および地上コントローラに到着する。
【００１４】
この地上コントローラは、パケットフラグメントを、付加された識別情報に基づいて、再構築されたＩＰパケットと結合する。この地上コントローラはまた、識別情報に基づき、予め定めたシーケンス規則に従って、この再構築されたＩＰパケットを並べる。この地上コントローラは、正しいシーケンス規則にしたがって再構築されたＩＰパケットを、宛先地上ネットワークへと転送する。
【００１５】
この一例のシステムは、地上部からモバイル部へと、あるいはその逆方向にもまた同様に行き来しているＩＰパケットフラグメントを搬送している通信チャンネルをまとめる。従って、本発明によれば、モバイル部、例えばＭＷＴは、チャンネルをまとめる送信方法および受信方法の両方を実現する。本発明によれば、同様に、地上部、例えば受信局および地上コントローラもともに、チャンネルをまとめる受信方法および送信方法の両方を実現する。
【００１６】
本発明のある実施例は、多数のＣＤＭＡ通信チャンネルをまとめることを用いる送信方法である。この送信方法は、少なくとも一つのＩＰデータパケットを受信することと、このＩＰデータパケットを、これよりも小さな複数のパケットフラグメントに断片化することと、フラグメント識別子（ＩＤ）とパケットシーケンスＩＤとを各パケットフラグメントに付加することと、ＩＰヘッダを各パケットフラグメントに付加することとを含んでいる。ここで、ＩＰヘッドは、パケットが送信されるチャンネルにＩＰアドレスが対応付けられているソースＩＰアドレスと、地上コントローラのＩＰアドレスである宛先ＩＰアドレスとを含んでいる。更に、この送信方法は、複数の同時に動作しているＣＤＭＡ通信チャンネルを介して、複数のパケットフラグメントを無線で送信することを含んでいる。この送信方法はまた、予め定めたシーケンス規則にしたがって複数のＩＰデータパケットを取得することと、各送信されたパケットフラグメントが、予め定めたシーケンス規則に従って受信されたＩＰデータパケットのうちの対応する一つのシーケンスＩＤを含むように、送信するステップを通じて各ＩＰデータパケットを断片化することとを含んでいる。
【００１７】
本発明の更なる局面では、無線送信は、複数のパケットフラグメントのうちの少なくとも二つを、同時に動作している通信チャンネルのうちの対応する一つを介して、同時に送信することを含んでいる。このＩＰヘッダを付加するステップは、ＩＰヘッダに加えてトランスポートプロトコルヘッダを、各パケットフラグメントに付加することを含んでいる。このトランスポートプロトコルヘッダは、このパケットフラグメントが送信される通信チャンネルのそれぞれに対応している。
【００１８】
無線通信に先立って、同時に動作しているＣＤＭＡ通信チャンネルの各々が設定され、各パケットフラグメントは、複数の同時に動作しているＣＤＭＡ通信チャンネルのうちの選択された一つを介した送信のためにスケジュールされる。このようなスケジューリングは、予め定めたチャンネル選択規則にしたがって各通信チャンネルを選択することと、予め定めたチャンネル選択規則にしたがって選択された通信チャンネルのそれぞれ一つを介して送信を行うためにパケットフラグメントをスケジュールすることとを含んでいる。代わりに、このスケジュールすることは、通信チャンネルの各々に対応したデータエラー率を監視することと、この監視されたデータエラー率に基づいて、通信チャンネルの好適なセットを選択することと、この通信チャンネルの好適なセットを介した送信のための複数のパケットフラグメントをスケジュールすることとを含んでいる。
【００１９】
別の実施例では、多数のＣＤＭＡ通信チャンネルをまとめるための受信方法が提供されている。この受信方法は、複数のＩＰパケットフラグメントを、同時に動作している複数のＣＤＭＡ通信チャンネルを介して無線で受信することを含んでいる。ここで、各ＩＰパケットフラグメントは、パケットフラグメントＩＤと、ＩＰパケットフラグメントをＩＰデータパケットに関連付けているパケットシーケンスＩＤと、ＩＰアドレスを含むＩＰヘッダとを含んでいる。この受信方法は更に、受信された各ＩＰパケットフラグメントを、ＩＰヘッダに含まれたＩＰアドレスにルーティングすることと、ルーティングされたパケットフラグメントを、フラグメントＩＤとパケットシーケンスＩＤとに基づいて、関連するＩＰデータパケットに結合することとを含んでいる。この複数の受信されたＩＰパケットフラグメントは、複数の異なるＩＰデータパケットに関連付けることができる。この受信方法は更に、異なるＩＰデータパケットの各々に対するルーティングと結合とを繰り返し、複数の再構築されたＩＰデータパケットを生成することと、パケットシーケンスＩＤに基づいて、この複数の再構築されたＩＰデータパケットを並べることとを含んでいる。
【００２０】
本発明の実施例の更なる局面では、無線受信は、複数のパケットフラグメントのうちの少なくとも二つを、同時に動作している通信チャンネルのうちの対応する一つを介して同時に受信することを含んでいる。
【００２１】
更なる局面では、前記並べることは、再構築されたＩＰデータパケットが、パケットシーケンスＩＤによって表示された予め定めたシーケンス規則に関して無秩序である場合、複数の再構築されたＩＰデータパケットを再要求することを含んでいる。受信された複数のＩＰパケットフラグメントが、複数の異なるＩＰデータパケットに関連している場合、この方法は更に異なったＩＰデータパケットの各々に対するルーティングと結合とを繰り返し、シーケンスＩＤにしたがって規則化されたパケットシーケンスで複数の再構築されたＩＰデータパケットを生成することを含んでいる。
【００２２】
本発明の別の局面は、送信方法と受信方法との両方を結合した多数のＣＤＭＡ通信チャンネルをまとめる全体的な方法である。この全体方法は、少なくとも一つのＩＰデータパケットを取得することと、このＩＰデータパケットをこれよりも小さな複数のパケットフラグメントに断片化することと、フラグメントＩＤとパケットシーケンスＩＤとを各パケットフラグメントに付加することと、ＩＰヘッダを各パケットフラグメントに付加することとを含んでいる。ここで、ＩＰヘッダとは、パケットが送信されているチャンネルに関連したＩＰアドレスであるソースＩＰアドレスと、地上コントローラのＩＰアドレスである宛先ＩＰアドレスとを含んでいる。更にこの全体方法は、複数の同時に動作しているＣＤＭＡ通信チャンネルを介して、複数のパケットフラグメントを無線で送信することを含んでいる。この全体方法は更に、この複数のＩＰパケットフラグメントを無線で受信することと、受信したＩＰパケットフラグメントの各々を、ＩＰヘッダに含まれるＩＰアドレスにルーティングすることと、このルーティングされたＩＰパケットフラグメントを、フラグメントＩＤとパケットシーケンスＩＤとに基づいて、少なくとも一つのＩＰデータパケットに再結合することとを含んでいる。
【００２３】
本発明の更なる別の局面は、多数のＣＤＭＡ通信チャンネルをまとめるために使用される送信システムである。この送信システムは、少なくとも一つのＩＰデータパケットを取得するために適用された一つ以上のコントローラを備えている。このコントローラの少なくとも一つは、フラグメンタを備えている。このフラグメンタは、ＩＰデータパケットをこれよりも小さな複数のパケットフラグメントに断片化し、フラグメントＩＤとパケットシーケンスＩＤとを各パケットフラグメントに付加する。このフラグメンタはまた、ＩＰアドレスを含むＩＰヘッダを各パケットフラグメントに付加するＩＰモジュールを含んでいる。この送信システムは更に、同時に動作している複数のＣＤＭＡ通信チャンネルのうちの対応する一つを介して複数のパケットフラグメントを無線で送信するために適用された複数の無線モデム、またはトランシーバ要素、またはモジュールを含んでいる。
【００２４】
この送信システムの更なる局面では、予め定めたシーケンス規則にしたがって複数のＩＰデータパケットを取得するために、一つ以上のコントローラが適用されている。また、各ＩＰデータパケットを複数の小さなＩＰパケットフラグメントに断片化し、予め定めたシーケンス規則に対応した各フラグメントにフラグメントＩＤとパケットシーケンスＩＤとを付加するために、フラグメンタが適用されている。このＩＰモジュールは、ＩＰアドレスを含むＩＰヘッダをパケットフラグメントの各々に付加するために適用されている。
【００２５】
これらコントローラは、無線モデムのうちの少なくとも二つに、同時に動作している通信チャンネルの対応する一つを介して、複数のパケットフラグメントのうちの少なくとも二つを同時に送信させるために適用することができる。また、ＩＰモジュールは、ＩＰヘッダに加えて、トランスポートプロトコルヘッダを、各パケットフラグメントに付加するために適用されうる。ここで、トランスポートプロトコルヘッダは、無線モデムのそれぞれ一つと、パケットフラグメントが送信される通信チャンネルとに対応している。一つ以上のコントローラおよび無線モデムが、モバイル無線端末に存在しうる。代わりに、一つ以上のコントローラが、一つ以上の地上ベースのパケットデータネットワークに共に接続されたゲートウェイ局と地上コントローラとに分散されうるとともに、無線モデムがゲートウェイ局に存在する。
【００２６】
更に、コントローラのうちの少なくとも一つは、同時に動作している複数のＣＤＭＡ通信チャンネルのうちの選択された一つを介して送信されるパケットフラグメントをスケジュールするスケジューラを含んでいる。このスケジューラは、予め定めたチャンネル選択規則にしたがって各通信チャンネルを選択する手段と、この予め定めたチャンネル選択規則にしたがった通信チャンネルのうちのそれぞれの一つを介して送信される各パケットフラグメントをスケジュールする手段とを含んでいる。さらに、これらコントローラのうちの少なくとも一つは、通信チャンネルの各々に対応したデータエラー率を監視する手段を含みうる。この場合、このスケジューラは、監視されたデータエラー率に基づいて、複数の通信チャンネルから、好適な通信チャンネルのセットを選択する手段と、この好適な通信チャンネルのセットを介して送信される複数のパケットフラグメントをスケジューリングする手段とを含んでいる。
【００２７】
この発明の実施例の更なる局面は、多数のＣＤＭＡ通信チャンネルをまとめるための受信システムである。この受信システムは、同時に動作している複数のＣＤＭＡ通信チャンネルを介して、複数のＩＰパケットフラグメントを無線で受信するように適用された複数の無線モデムを含んでいる。この通信チャンネルの各々は、無線モデムのうちのそれぞれに対応しており、パケットフラグメントの各々は、フラグメントＩＤと、ＩＰパケットフラグメントをＩＰデータパケットに関連付けているパケットシーケンスＩＤと、ＩＰアドレスを含むＩＰヘッダとを含んでいる。この受信システムはまた、一つ以上のコントローラと、デフラグメンタとを含んでいる。ここで、この一つ以上のコントローラの少なくとも一つは、受信されたパケットフラグメントの各々を、ＩＰヘッダに含まれるＩＰアドレスにルーティングする手段を備えている。また、デフラグメンタは、このルーティングされたパケットフラグメントを、フラグメントＩＤとパケットシーケンスＩＤとに基づいて、関連するＩＰデータパケットに再結合する。
【００２８】
無線モデムは、同時に動作している通信チャンネルの対応する一つを介して、複数のパケットフラグメントのうちの少なくとも二つを同時に受信するように適用されうる。一つ以上のコントローラと無線モデムとは、モバイル無線端末に存在し、同時に動作しているＣＤＭＡ通信チャンネルの各々を確立する。
【００２９】
本発明の更なる局面では、複数のパケットフラグメントは、複数の異なるＩＰデータパケットに関連付けられており、ルーティング手段は、パケットフラグメントの各々を、送信されるチャンネルのＩＰアドレスにルーティングするように適用されている。一方、デフラグメンタは、複数の再構築されたＩＰデータパケットを生成するために、ルーティングされたパケットフラグメントを、関連するＩＰデータパケットに再結合するように適用されている。そして、少なくとも一つのコントローラが、再構築されたＩＰデータパケットを、パケットシーケンスＩＤに基づいて並び替えるシーケンサを含んでいる。
【００３０】
更なる実施例では、コントローラが、一つ以上の地上ベースのパケットデータネットワークに共に接続されたゲートウェイ局と地上コントローラとに分割されうる。この地上コントローラは、ＩＰパケットフラグメントヘッダに含まれるＩＰアドレスに対応するＩＰアドレスを持っている。また、無線モデムがこのゲートウェイ局に存在する。
【００３１】
本発明の更なる局面は、多数のＣＤＭＡ通信チャンネルをまとめる全体的な送信−受信システムである。この全体システムは、上述した受信システムと送信システムの要素を含む。
【００３２】
用語。
ＩＰとはインターネットプロトコルである。
ＰＰＰとはポイントトゥポイントプロトコルである。
ＲＬＰとは無線リンクプロトコルである。
ＴＣＰとはトランザクションコントロールプロトコルである。
ＵＤＰとはユーザデータグラムプロトコルである。
【発明を実施するための最良の形態】
【００３３】
この出願は、米国仮出願「Method and System for Aggregating Multiple Wireless Communication Channels for High Data Rate Transfers」（出願番号６０／３３５，６８０、出願日２００１年１０月２５日）（特許文献３）の優先権を主張するものである。本願は、この全体が参考文献として組み込まれている。
【００３４】
本発明の特徴、目的、および利点は、全体を通じて同一のまたは類似の要素を示す同一参照符号を示す図面を用いた以下の詳細記載から更に明白になるであろう。
【００３５】
Ｉ．典型的な衛星システム。
図１は、本発明の実施例とともに使用するのに適した衛星通信システム１００の一例を示す図である。本実施例を詳細に説明する前に、本発明の更に完全に理解するために、通信システム１００に関する記載を先ず行う。この通信システム１００は、概念的に、複数のセグメント１０１，１０２，１０３，１０４にサブ分割されうる。ここで、セグメント１０１は空間セグメントとして、セグメント１０２はユーザセグメントとして、セグメント１０３は地上（地球）セグメントとして、セグメント１０４は電話システムまたはデータネットワークインフラセグメントとして表される。衛星通信システム１００の例は、例えば、１４１４ｋｍ低地球軌道（ＬＥＯ）に合計で４８の衛星１２０を含む。衛星１２０は、南緯約７０°と北緯約７０°との間の特定のユーザ位置から、如何なる時間においても、好ましくは少なくとも２つの衛星が見えるよう地球全体をほぼカバーできるように軌道に分配される。これによって、ユーザは、一つ以上のゲートウェイ（ＧＷ）１８０と一つ以上の衛星１２０とを経由して、更には電話システムやデータネットワークインフラセグメント１０４の一部を使うことによって、ゲートウェイ１８０のカバーエリア内における地表上のほぼあらゆるポイントと、あるいは（公衆切換電話ネットワーク（ＰＳＴＮ）を経由して）その他のポイントとの通信が可能とされる。
【００３６】
このシステム１００の前述及び続きの記述は、この時点において、本発明のティーチングが見出す通信システムの一例のみを示していることに留意されたい。すなわち、この通信システムの具体例は、本発明の実施において限定されて理解あるいは解釈されるものではない。ＭＥＯまたはＧＥＯ要素を含む他の型式の衛星および配置もまた使用されうる。あるいは、（航空機や列車など）他の移動ソースまたは受信機もまたデータ送信が望まれる場所において使用されうる。
【００３７】
システム１００の記載を続けると、衛星１２０間、更には各衛星によって送信された１６ビームのうちの個々の一つとの間のソフト転送（ハンドオフ）プロセスは、拡散スペクトル（ＳＳ）、コード分割多元アクセス（ＣＤＭＡ）技術を用いて破壊されない通信を提供する。この現在好ましいＳＳ−ＣＤＭＡ技術は、ＴＩＡ／ＥＩＡ  Ｉｎｔｅｒｉｍ規格「Mobile Station-Base Station Compatibility Standard for Dual-Mode Wideband Spread Spectrum Cellular System」（TIA/EIA/IS-95、１９９３年７月）に類似している。一方、他の拡散スペクトルおよびＣＤＭＡ技術およびプロトコル、更には時分割多元アクセス（ＴＤＭＡ）のある型式であっても適用可能である。Telecommunications Industry Association/Electronic Industries Association (TIA/EIA) 規格ＩＳ−９５に記載されたＣＤＭＡ携帯システムは別として、ＴＩＡ／ＥＩＡ規格ＩＳ−９８に記載されたＡＭＰＳとＣＤＭＡとの結合システムに着目することができる。他の通信システムが、広帯域ＣＤＭＡ（ＷＣＤＭＡ）、ｃｄｍａ２０００（例えば、ｃｄｍａ２０００  １ｘ−ｒｘｔｔ、ｃｄｍａ２０００  １ｘ、３ｘ、またはＭＣ規格）、またはＴＤ−ＳＣＤＭＡと一般的に称されるものをカバーしているInternational Mobile Telecommunications System 2000/Universal Mobile Telecommunications System、すなわちＩＭＴ−２０００／ＵＭ規格で記載されている。衛星に基づく通信システムもまたこれらあるいは類似の公知規格を利用する。
【００３８】
低い地球軌道を使用することによって、低出力に固定された、ポータブルの、あるいはモバイルの無線ユーザ端末１３０は、衛星１２０を介して通信できるようになる。また、例えば「ベントパイプ」リピータと称される機能の各々は、ユーザ端末１３０またはゲートウェイ１８０からの通信トラフィック信号（例えば、音声及び／又はデータ）を受信し、この受信した通信トラフィック信号を、必要に応じて別の周波数帯域に変換し、この変換した信号を再送信することができるようになる。
【００３９】
ユーザセグメント１０２は、衛星１２０との通信に適用される複数型式のユーザ端末１３０を含みうる。このユーザ端末１３０の各々は、これらに限定される訳ではないが、携帯電話、無線ハンドセット、データトランシーバ、ページングまたは位置決定受信機、またはモバイル無線電話を含む複数の異なる型式の固定型およびモバイルのユーザ端末を含んでいる。更にユーザ端末１３０の各々は、好みに応じてハンドへルド、乗り物（例えば、車、トラック、ボート、列車、および航空機を含む）に搭載されたポータブルなもの、あるいは固定型のものでありうる。例えば図１では、ユーザ端末１４０は、ハンドへルドデバイス、乗り物に搭載されたデバイスとしてのユーザ端末１５０、およびページング／メッセージタイプのデバイスや固定型の無線電話のようなユーザ端末１６０として示されている。無線通信デバイスはしばしば好みに応じて、ユーザ端末、モバイル局、モバイルユニット、加入者ユニット、モバイル無線または無線電話、無線ユニットと称される。あるいは、単に、ユーザ、加入者、端末、及びモバイルと称する通信システムもある。ユーザ端末１３０は、一つ以上の衛星１２０を経由した双方向通信のために、無指向性アンテナ１３０Ａを適用するのが好ましい。アンテナ１３０Ａの各々は、セパレートタイプの送信アンテナおよび受信アンテナを含むアンテナ集合体でありうる。
【００４０】
また、図２に示すように、ユーザ端末１３０は、完全二方向モードでの動作が可能であり、例えば、リターントランスポンダ１２０Ａおよび順方向トランスポンダ１２０Ｂをそれぞれ介し、Ｌ帯域ＲＦリンク（アップリンクまたはリターンリンク１７０Ｂ）や、Ｓ帯域ＲＦリンク（ダウンリンクまたは順方向リンク１７０Ａ）を経由して通信する。リターンＬ帯域ＲＦリンク１７０Ｂは、１．６１ＧＨｚから１．６２５ＧＨｚの周波数範囲内で、１６．５ＭＨｚの帯域幅で動作し、好適な拡散スペクトル技術に従って、パケット化されたデジタル音声信号及び／又はデータ信号を用いて変調される。順方向Ｓ帯域ＲＦリンク１７０Ａは、２．４８５ＧＨｚから２．５ＧＨｚの周波数範囲で、１６．５ＭＨｚの帯域幅で動作する。
【００４１】
この順方向ＲＦリンク１７０Ａもまた、拡散スペクトル技術に従って、パケット化されたデジタル音声信号及び／又はデータ信号を用いて、ゲートウェイ１８０において変調される。この１６．５ＭＨｚ帯域幅の順方向リンクは、効果的に２０８のＦＤＭチャンネルを形成する１３のサブビームを用いて１６のビームに区分される。各ビームは更に、パイロット信号等が加えられた順方向リンクコードチャンネル毎に割り当てられている一人のユーザに、約１２８のコードチャンネルを融通する。このリターンリンクは、様々な帯域幅を持ちうる。そして、与えられたユーザ端末１３０は、順方向リンクに割り当てられたチャンネルとは異なるチャンネルに割り当てられる場合も、そうではない場合もある。
【００４２】
地上セグメント１０３は少なくとも一つであり、一般には複数のゲートウェイ１８０を含んでいる。このゲートウェイ１８０は、例えば、通常は３ＧＨｚを超える周波数範囲で、好適にはＣ帯域で動作する完全二方向のＣ帯域ＲＦリンク１９０（衛星への順方向リンク１９０Ａ、衛星からのリターンリンク１９０Ｂ）を使って衛星１２０と通信する。このＣ帯域ＲＦリンクは、通信フィーダリンクを双方向に搬送し、また、衛星への衛星コマンドと、衛星からのテレメータ情報とも搬送する。順方向フィーダリンク１９０Ａは、５ＧＨｚから５．２５ＧＨｚの帯域で動作する一方、リターンフィーダリンク１９０Ｂは、６．８７５ＧＨｚから７．０７５ＧＨｚの帯域で動作する。一例として、数１０００の完全二重通信が、衛星１２０のうちの与えられた一つを介して起こりうる。システム１００の特性にしたがって、二つ以上の衛星１２０は、各々与えられたユーザ端末１３０とゲートウェイ１８０の一つとの間の同一通信を搬送する。
【００４３】
周波数、帯域幅等といったここで記載されたものの全ては、ある特定のシステムのみの代表例でしかないことに着目されたい。他の周波数や、周波数帯域もまた、ここで議論されている原理において変更なしで使用されうる。一例として、ゲートウェイと衛星との間のフィーダリンクは、Ｃ帯域（およそ３ＧＨｚから７ＧＨｚ）以外の帯域の周波数、例えば、Ｋｕ帯域（およそ１００ＧＨｚから１５ＧＨｚ）やＫａ帯域（およそ１５ＧＨｚを超える）を使用しうる。
【００４４】
ゲートウェイ１８０は、通信ペイロードすなわち衛星１２０のトランスポンダ１２０Ａ，１２０Ｂ（図２）を、電話システムおよびデータネットワークインフラセグメント１０４に接続するように機能する。セグメント１０４は、電話ネットワーク１９２およびデータネットワーク１９４を含んでいる。このデータネットワークは、電話ネットワークと相互接続されうる。あるいは、単に、ゲートウェイおよび基地局に接続されている。電話ネットワーク１９２は、プライベート電話システム、及び例えばＰＳＴＮのような公衆電話システムを含んでいる。電話ネットワーク１９２は、コンピュータ端末１９５と、電話機１９６とに接続されている。データネットワーク１９４は、例えば、インターネットやイントラネットのようなローカルおよびワイドエリアパケット切換データネットワークを含んでいる。データネットワーク１９４は、コンピュータ端末１９７に接続されている。
【００４５】
図１に示すように、地上セグメント１０３の一部は、衛星動作制御センタ（ＳＯＣＣ）１３６、及び地上動作制御センタ（ＧＯＣＣ）１３８である。 地上データネットワーク（ＧＤＮ）１３９を含む通信経路は、地上セグメント１０３のゲートウェイ１８０、ＳＯＣＣ１３６、及びＧＯＣＣ１３８のために提供されている。この通信システム１００の部分は、全体のシステム制御機能を提供する。
【００４６】
ＩＩ．システム概要。
図３は、システム２００の一例を示すブロック図である。このシステムは、中位及高位のデータ速度転送を達成するために多数のコード分割多元アクセス（ＣＤＭＡ）衛星通信チャンネルをまとめる。システム２００は、モバイル部２０２と、一つ以上の衛星１２０と、地上部２０４とを含んでいる。典型的な構成では、モバイル部２０２は、航空機などのようなモバイルプラットフォームに搭載されている。しかしながら、例えば列車、船、バス、軽いレールなどの他の型式の交通手段は、本発明の実施例を利用する場合に、有利な点を発見するであろう。
【００４７】
モバイル部２０２は、例えばイーサネット（登録商標）リンク、ブルートゥースベースの無線リンクのような通信リンク２１０を介して、あるいは８０２．１１（ＩＥＥＥ）規格プロトコルに基づく無線転送システムを使用したデータネットワーク２０８に接続されたＭＷＴ２０６を含んでいる。一つ以上のコンピュータ端末２１２ａ〜２１２ｎが、データネットワーク２０８に接続されている。このシステムはまた、無線または有線モデム、ＰＤＡ、ファクシミリ、及びこれらに限定されるものではないがゲームデバイス、ページングデバイス等を含むその他のデータ転送デバイスのようにユーザにデータを転送するのに適したものを有するハンドへルドまたはラップトップのコンピュータを使用することも目論んでいる。データネットワーク２０８は、ローカルエリアネットワーク（ＬＡＮ）またはその他の公知のネットワークでありうる。データネットワーク２０８は、データルータを含むことができ、かつ他のネットワークへの接続も可能である。
【００４８】
ＭＷＴ２０６は、地上部２０４へ信号を送信するとともに、地上部２０４からの信号を受信するアンテナ１０９Ａを含んでいる。ＭＷＴ２０６は、通信リンク２１０に接続されたコントローラ２１４（すなわち、一つ以上のコントローラまたはプロセッサ）を含んでいる。コントローラ２１４は、コントローラ２１４と衛星モデム２１６との間に接続された複数の対応するデータリンク２１８ａ〜２１８ｎを介して、複数の衛星モデム２１６ａ〜２１６ｎに送信されるデータを提供する。データ接続２１８は、連続したデータ接続であるかもしれない。衛星モデム２１６は、複数のＲＦ接続２２２ａ〜２２２ｎを介して、出力結合分割アセンブリ２２０へＲＦ信号を提供したり、このアセンブリ２２０からのＲＦ信号を受信する。出力結合分割アセンブリ２２０は、衛星モデム２１６から受信したＲＦ信号を増幅するための送信出力増幅器を含んでいる。送信方向においては、このアセンブリ２２０は、衛星モデム２１６から受信した出力を結合し、ＲＦ信号を増幅する。そして、この結合したＲＦ送信信号をアンテナ１３０Ａに提供する。受信方向においては、このアセンブリ２２０は、アンテナ１３０Ａから受信したＲＦ信号を、衛星モデム２１６のそれぞれに提供する。
【００４９】
地上部２０４は、ゲートウェイ局１８０（ゲートウェイ１８０とも称される。）を含んでいる。ゲートウェイ局は、衛星１２０を介して、モバイル部２０２へ信号を送信したり、モバイル部２０２からの信号を受信する。ゲートウェイデータルータ２３０は、インターネットを含む一つ以上のプライベート及び／又は公衆パケットデータネットワークへ、ゲートウェイ局１８０を接続する。地上部２０４はまた、ゲートウェイルータ２３０を介して前述したネットワークに接続された地上コントローラ２３２を含んでいる。地上コントローラ２３２は、多数のゲートウェイ１８０を取り扱うことができる。地上コントローラ２３２は、第２のデータルータ２３６を介して、インターネットを含む一つ以上のパケットデータネットワーク２３４に接続されている。複数のコンピュータ端末２３６ａ〜２３６ｎ、またはその他のデバイスが、パケットデータネットワーク２３４に接続されている。遠隔ネットワークに接続することが可能な他のデバイスは、写真印刷用の遠隔プリンタ、ファクシミリデバイス、メモリデバイス、ユーザによる視覚的検査を可能とするセキュリティシステムまたはサーベイランスシステム等といった一般に高いデータ速度転送を利用するものを含んでいる。
【００５０】
ゲートウェイ局１８０は、ＭＷＴ２０６の衛星モデム２１６に対応している複数の衛星モデム２２６ａ〜２２６ｎを含む。ゲートウェイ局１８０はまた、衛星モデム２２６と、ゲートウェイ局１８０内の種々の機能を制御するゲートウェイコントローラ２２８（すなわち、一つ以上のコントローラ）を含んでいる。モバイル部２０２は、ＭＷＴ２０６とゲートウェイ局１８０との間に確立された複数のＣＤＭＡ衛星通信リンク２４０ａ〜２４０ｎを介して地上部２０４と通信する。衛星通信リンク２４０ａ〜２４０ｎは、互いに同時に動作することができる。各衛星通信リンク２４０は、衛星アップリンクおよびダウンリンク方向で、ＭＷＴ２０６とゲートウェイ１８０との間のデータを運ぶ衛星トラフィックチャンネルをサポートする。ＭＷＴ２０６における各衛星モデム２１６は、衛星通信リンク２４０のうちの対応する一つを介して、ゲートウェイ局１８０における衛星モデム２２６のうちの対応する一つと通信する。例えば、ＭＷＴ２０６における衛星モデム２１６ａは、衛星通信リンク２４０ａを介して、ゲートウェイ１８０内の衛星モデム２２６ａとデータを交換する。複数の衛星通信チャンネル２４０は、ＭＷＴ２０６とゲートウェイ局１８０との間の空気インタフェース２５０の一部を形成する。
【００５１】
次に、本発明の様々な局面の実施例の詳細な記載を行うことによって、このシステム２００の動作を簡単に概説する。ＭＷＴ２０６は、地上ネットワーク２３４に向けられたＩＰパケットをネットワーク２０８から受信する。このＩＰパケットは、予め定めたシーケンスまたはシーケンシャル規則にしたがって受信される。ＭＷＴは、各ＩＰパケットを多くの小さなＩＰパケットフラグメントに断片化し、各パケットフラグメントに識別情報を付加する。更に、このパケットフラグメントを、同時に動作している衛星チャンネル２４０を介して、互いに並列に送信する。このような並列送信は、空気インタフェース２５０を介した各ＩＰパケット（多数のパケットフラグメントであるが）の送信に必要とされる時間を有利に低減させる。従って、本発明は、上述したような方法では動作しない従来システムに比較して、データ送信／受信帯域幅を有利に増加させる。
【００５２】
ゲートウェイ局１８０は、送信されたパケットフラグメントを受信し、この受信したパケットフラグメントを地上コントローラ２３２に転送する。パケットフラグメントは、衛星リンクエラー修正プロトコルの操作のために、ゲートウェイ局１８０および地上コントローラ２３２へと、送信されたデータストリームに比べてしばしば実質的に無秩序で到来する。このようなエラー修正プロトコルは、信号ドロップアウトによってパケットフラグメントが喪失した場合、あるいは、受信したパケットフラグメントがエラーであると判定された場合には、（ＭＷＴ２０６からゲートウェイ１８０への）パケットフラグメント再送信を引き起こす。
【００５３】
地上コントローラ２３２は、フラグメントに付加された識別情報に基づいて、パケットフラグメントを、再構築されたＩＰパケットに結合する。地上コントローラ２３２はまた、識別情報に基づいて予め定めたシーケンス規則にしたがって、この再構築されたＩＰパケットを並べ替える。地上コントローラ２３２は、修正されたシーケンス規則にしたがって再構築されたＩＰパケットを、地上ネットワーク２３４に転送する。例えば、標準的なＴＣＰ／ＩＰプロトコルで動作している地上ネットワーク２３４は、上述したパケットフラグメントの「無秩序な」転送、または（再送信等による）再要求に対して非寛容的となることができる。しかしながら、本発明は、地上コントローラ２３２によってなされる並べ替えによって、地上ネットワーク２３４をそのような再要求から有利に隔離する。
【００５４】
本発明の典型的な構成では、衛星通信チャンネルの各々は、約９．６キロビット／秒（ｋｂｐｓ）のデータ送信帯域幅を持っている。この典型的な構成では、最高２４までの衛星モデムまたはトランシーバモジュール２１６、すなわち２４の衛星チャンネル２４０が同時に動作する。これによって、約２３０ｋｐｂｓ（２４×９．６ｋｐｂｓ＝２３０．４ｋｂｐｓ）のまとめられた送信帯域幅を実現する。通信チャンネルは、異なるデータ送信帯域幅を、対応して達成するようにまとめられる。
【００５５】
上述したプロセスはまた、逆方向、すなわち、地上ネットワーク２３４から発し、モバイルネットワーク２０８に向けられたＩＰパケットに対しても生じる。しかしながら、ＣＤＭＡベースの通信システムにとって、順方向リンクは、周波数分割多重放送（ＦＤＭ）チャンネルにおけるコードチャンネルまたはサブビームを使ってユーザを区別する。一方、逆方向リンクでは、ユーザ特有コードと、Ｍ−ＡＲＹ変調スキームとがサブビームで使用され、ユーザを区別する。図４は、モバイル部２０２と地上部２０４との間の受信／送信相互関係を示す図である。方向３１０に従って、モバイル部２０２から地上部２０４へのデータ流れを搬送している通信チャンネルをまとめるために、ＭＷＴ２０６は、本発明の送信方法を実行する。一方、ゲートウェイ１８０と地上コントローラ２３２とは共に、ＭＷＴ２０６によって実行される送信方法とは一般に相反する本発明の受信方法を実行する。（方向３１０とは逆向きである）方向３１２に従って、地上部２０４からモバイル部２０２へのデータ流れを搬送している通信チャンネルをまとめるために、ゲートウェイ１８０と地上コントローラ２３２とは共に、本発明の実施例である送信方法を実行する。一方、ＭＷＴ２０６は、地上部２０４によって実行される送信方法とは相反する本発明の実施例の受信方法を実行する。
【００５６】
ＭＷＴ２０６によって実行される受信方法と、ゲートウェイ１８０および地上コントローラ２３２によって共に実行される受信方法とは、ＭＷＴ２０６によって実行される送信方法と、ゲートウェイ１８０および地上コントローラ２３２によって共に実行される送信方法とがそうであるように実質的に同一である。便宜上および明確化のために、本発明の実施例で使用される送信方法は、主にモバイル部２０２（例えば、ＭＷＴ２０６）のコンテクスト中に後述している。しかしながら、そのような方法は、地上部２０４（例えば、ゲートウェイ１８０および地上コントローラ２３２）によってもまた実施されるものと理解されよう。同様に、本発明の実施例における受信方法は、主に地上部２０４のコンテクスト中に後述している。しかしながら、そのような方法は、モバイル部２０２によってもまた実施されるものと理解されよう。
【００５７】
前述された記述と、以降の記述とは、いずれにせよ、本発明に限定的に解釈されるものではないことが理解されよう。例えば、本発明は、高データ速度転送を実現するために、ＣＤＭＡ携帯又はパーソナル通信サービス（ＰＣＳ）通信チャンネルのような多数の地上ベースの無線通信チャンネルをまとめるために使用される。本発明における典型的な地上ベースのアプリケーションでは、ＭＷＴは、自動車のような陸上ベースの車両に存在し、衛星モデムの代わりに、複数の同時に動作しているＣＤＭＡ携帯／ＰＣＳモデムまたはトランシーバモジュールまたは要素を含んでいる。このＭＷＴは、同時に動作している複数のＣＤＭＡ携帯／ＰＣＳ通信チャンネルを介して、（衛星ゲートウェイの代わりに）複数の動作しているＣＤＭＡ携帯／ＰＣＳモデムを含んでいる携帯／ＰＣＳ基地局とデータを交換する。
【００５８】
ＩＩＩ．送信方法。
図５は、モバイル部２０２および地上部２０４で実行される通信チャンネルのまとめを行う送信方法４００の一例を示すフローチャートである。便宜上、送信方法４００は、モバイル部２０２のコンテクスト、すなわち方向３１０にしたがって記載されている。
【００５９】
方法４００の第１のステップ４０２では、ＭＷＴ２０６が、例えば通信リンク２４０のように、同時に動作している複数のＣＤＭＡ衛星通信チャンネルをゲートウェイ局１８０との間に確立する。
【００６０】
次のステップ４０４では、ＭＷＴ２０６が、例えばコンピュータ２１２の一つからのように、データネットワーク２０８から少なくとも一つのＩＰデータパケットを受信する。このＩＰパケットは、地上部２０４の地上ネットワーク２３４に接続されたコンピュータ端末２３６の一つに向けられることができる。従って、このＩＰパケットは、そのような宛先に対応したＩＰアドレスを含んでいる。
【００６１】
次のステップ４０６では、コントローラ２１４が、ＩＰデータパケットを、これよりも小さな複数のＩＰパケットフラグメントに断片化する。本発明のある構成では、コントローラ２１４が、ＩＰパケットを、通信リンク２４０ａ〜２４０ｎの数に等しい数のＩＰパケットフラグメントに断片化する。しかしながら、例えば、ＩＰパケットのサイズに依存して、異なる数のフラグメントを使用することもまた可能である。
【００６２】
次のステップ４０８では、コントローラ２１４が、各パケットフラグメントに、フラグメントヘッダを付加する。このフラグメントヘッダは、フラグメントＩＤとＩＰパケットシーケンスＩＤとを含んでいる。このフラグメントＩＤは、ＩＰパケットに属する他のパケットフラグメントに関し、ＩＰパケット内のフラグメントを識別する。ＩＰシーケンスＩＤは、（ＩＰパケットフラグメントが属している）ＩＰパケットがネットワーク２０８から受信されるシーケンス規則を規定する。
【００６３】
次にステップ４１０では、コントローラ２１４が、同時に動作している複数のＣＤＭＡ衛星通信チャンネルのうちの選択された一つを介して送信される各パケットフラグメントをスケジュールする。これを行っている間に、コントローラ２１４は、各パケットフラグメントを、衛星モデム２１６の一つに割り当てる。これによって、各パケットフラグメントは、割り当てられたモデムによって、衛星リンク２４０のうちの対応する一つを介して送信されるようになる。
【００６４】
次のステップ４１２では、コントローラ２１４が、ＩＰヘッダを各パケットフラグメントに付加する。このＩＰヘッダは、このフラグメントが送信されたチャンネルまたは衛星モデム２１６に対応しているＩＰアドレスであるソースＩＰアドレスと、地上コントローラ２３２のＩＰアドレスに対応したＩＰアドレスである宛先ＩＰアドレスとを含んでいる。ステップ４１２では、例えばＵＤＰヘッダのようなトランスポートプロトコルヘッダが、ＩＰヘッダに加えて、各パケットフラグメントに付加される。
【００６５】
次のステップ４１４では、コントローラ２１４が、例えば、ＰＰＰのようなリンクレイヤプロトコルにしたがってパケットフラグメントを処理する。コントローラ２１４は、リンクレイヤプロトコルヘッダ（例えばＰＰＰヘッダ）を、パケットフラグメントの各々に付加する。
【００６６】
コントローラ２１４は、オプションとして、パケットフラグメントのサイズを減らし、データ送信帯域幅を確保するために、上述したように、パケットフラグメントに付加された様々なヘッダを圧縮する。
【００６７】
次のステップ４１６では、ＭＷＴ２０６が、衛星モデム２１６を使用して、同時に動作している複数の通信チャンネル２４０を介して、複数のパケットフラグメントを送信する。この複数のパケットフラグメントは、ＩＰパケットをゲートウェイ局１８０に送信するのに要する合計時間を低減するために、好適には、衛星チャンネル２４０を介して、互いに並列に同時に送信される。ステップ４０２は、送信するステップ４１６の前であれば如何なる時にも実行することができる。
【００６８】
方法４００は地上部２０４、すなわち方向３１２でも実行される。このコンテクストにおいて、地上コントローラ２３２は、モバイル部２０２のコンピュータ２１２のうちの一つに向けられたデータネットワーク２３４からのＩＰパケットを受信する。例えば、ルータ２３６は、このＩＰパケットを地上コントローラ２３２に転送することができる。地上コントローラ２３２は、このＩＰパケットを断片化し、前述したヘッダをこのパケットに付加し、このパケットをゲートウェイ局１８０に転送する。この付加されたＩＰヘッダは、衛星モデム２１６に対応したＩＰアドレスを含んでいる。ゲートウェイ局１８０は、地上コントローラ２３２から受信したパケットフラグメントをスケジュールし、その後、送信する。
【００６９】
図６は、モバイル部２０２と地上部２０４によって実行される付加的な送信方法ステップ５００の一例を示すフローチャートである。また、この送信方法は、モバイル部２０２のコンテクストに記載されている。第１の付加的送信ステップ５０２において、ＭＷＴ２０６は、ネットワーク２０８から、予め定めたシーケンス規則にしたがって、複数のＩＰパケットを受信する。
【００７０】
次の付加的送信ステップ５０４において、ＭＷＴ２０６は、上述したステップ４０４から４１６までを、各ＩＰパケットについて実行する。これによって、送信されたパケットフラグメントの各々が、自己が属するＩＰパケットに対応した順序正しいパケットシーケンスＩＤを含むことができる。
【００７１】
図７は、方法４００の送信スケジュールステップ４１０について展開した方法６００の一例を示すフローチャートである。第１のスケジュールステップ６０２では、コントローラ２１４が、予め定めたチャンネル選択規則に従って、通信チャンネル２４０の各々を選択する。
【００７２】
次のスケジュールステップ６０４では、コントローラ２１４が、予め定めたチャンネル選択規則に従って選択された通信チャンネル２４０のうちのそれぞれ一つを介して送信される各パケットフラグメントをスケジュールする（すなわち、割り当てる。）。例えば、第１のフラグメントは、対応する衛星リンク２１０ａを介した送信のために衛星モデム２１６ａに割り当てられ、第２のフラグメントは、衛星リンク２４０ｂを介した送信のために衛星モデム２１６ｂに割り当てられるように、総当たり的に割り当てられる。
【００７３】
図８は、スケジュールステップ４１０に対応している代替の送信スケジュール方法７００のフローチャートである。第１のスケジューリングステップ７０２では、コントローラ２１４は、通信チャンネル２４０の各々に関連したデータエラー率を監視する。
【００７４】
次のスケジューリングステップ７０４では、コントローラ２１４が、監視されたデータエラー率に基づいて、複数の通信チャンネル２４０から、好適な通信チャンネルのセットを選択する。この好適な通信チャンネルのセットは、最も低いデータエラー率を持つ衛星チャンネルを含んでいる。
【００７５】
次のステップ７０６では、コントローラ２１４が、好適な通信チャンネルのセットを介して送信する（ステップ４０６からの）複数のパケットフラグメントをスケジュールする。
【００７６】
図９は、本発明の実施例の記述に有用なものであり、送信方法４００の一部を、方法４００によって生成されたパケットフラグメントの系列例とともに示す図である。送信方法４００のうちの方法ステップ４０６，４０８，４１０，４１２、オプションであるヘッダ圧縮ステップ８０４、及びステップ４１４は、図９の左から右に示されている。
【００７７】
モバイル部２０２では、上記にリストされた送信方法ステップの全ては、図９の双方向矢印８０６に示されるように、ＭＷＴ２０６で実施することができる。一方、地上部２０４では、ステップ４０６，４０８，４１０，４１２は、双方向矢印２３２に示されるように、地上部２３２で実施することができる。一方、オプションであるヘッダ圧縮ステップ８０４およびステップ４１４は、双方向矢印８１０に示されるように、ゲートウェイ１８０で実施することができる。この送信方法ステップは、本発明の代替構成において異なった方法で分配されることができる。
【００７８】
図９に関し、ネットワーク２０８からのＩＰパケット８１４は、断片化ステップ４０６に到達する。ＩＰパケット８１４は、ＩＰヘッダ８１６、ＴＣＰヘッダ８１８、およびペイロードデータ８２０を含んでいる。
【００７９】
ステップ４０６では、ＩＰパケット８１４は、８２２において、パケットフラグメントＰ１とパケットフラグメントＰ２とに分割される（すなわち、断片化される）。フラグメントＰ１は、図９における波線８２３上で左から右に、フラグメントＰ２は、波線８２３の下側に、送信方法ステップがシーケンスに従って実行されるに従ってトレースされている。
【００８０】
ステップ４０８では、フラグメントヘッダ（ＦＨ）８２４１，８２４２が、フラグメントＰ１，Ｐ２にそれぞれ付加され、パケットフラグメント８２５１，８２５２がそれぞれ生成される。フラグメントＰ１，Ｐ２ともに共通のＩＰパケット８１４に属しているので、フラグメントヘッダ８２４１，８２４２は、共通パケットシーケンスＩＤを除いてそれぞれ異なるフラグメントＩＤを含んでいる。
【００８１】
ステップ４１２は、パケットフラグメントＰ１およびパケットフラグメントＰ２に、ＩＰヘッダ８２６１およびＩＰヘッダ８２６２と、トランスポートプロトコル（例えばＵＤＰ）ヘッダ８２８１およびトランスポートプロトコル（例えばＵＤＰ）ヘッダ８２８２とをそれぞれ付加し、パケット８２９１およびパケット８２９２をそれぞれ生成する。
【００８２】
ステップ４１４では、リンクレイヤプロトコル（例えばＰＰＰ）ヘッダ８４０１およびリンクレイヤプロトコル８４０２が、パケットフラグメントＰ１およびパケットフラグメントＰ２にそれぞれ付加され、パケットフラグメント８４２１およびパケットフラグメント８４２２がそれぞれ生成される。オプションとして、上述したように、コントローラ２１４が、ステップ４１２からのパケットフラグメントに付加された様々なヘッダを圧縮する場合にヘッダ圧縮ステップ８０４が使用される。これによって、パケットフラグメントのサイズが減少され、データ送信帯域幅を確保することができる。ステップ８０４では、圧縮されたヘッダを持つデータパケット８３２１，８３２２を生成する。
【００８３】
次に、パケットフラグメントＰ１，Ｐ２が、無線送信機／トランシーバによって使用される既知の空気インタフェースの一部として、無線リンクプロトコル（ＲＬＰ）に従って処理され、空気インタフェース２５０を介して送信されるのに適したデータフレーム８４６ａ〜８４６ｎが確立される。
【００８４】
ＩＶ．受信方法。
図１０は、モバイル部２０２と地上部２０４において実施される多数の通信チャンネルをまとめる受信方法９００の例を示すフローチャートである。この受信方法は地上部２０４のコンテクスト、すなわち方向３１０にしたがって記述される。しかしながら、この方法はまた、モバイル部２０２にも当てはまる。
【００８５】
初めのステップ９０２では、ゲートウェイ局１８０が、同時に動作している複数のＣＤＭＡ衛星通信チャンネル２４０を確立する。
【００８６】
次のステップ９０４では、ゲートウェイ局１８０が、同時に動作しているＣＤＭＡ衛星通信チャンネル２４０を介して、ＭＷＴ２０６によって送信された複数のＩＰパケットフラグメントを無線で受信する。各ＩＰパケットフラグメントは、パケットフラグメントＩＤと、ＩＰパケットフラグメントをＩＰパケットに関連付けているパケットシーケンスＩＤと、地上コントローラ２３２のＩＰアドレスを含むＩＰヘッダとを含んでいる。
【００８７】
次のステップ９０６では、ゲートウェイ局１８０が、ＩＰパケットフラグメントをゲートウェイルータ２３０に送る。ゲートウェイルータ２３０は、各ＩＰパケットフラグメントを、各パケットフラグメントのＩＰヘッダを含むＩＰアドレスにルーティングする。すなわち、ルータ２３０は、各ＩＰパケットフラグメントを地上コントローラ２３２にルーティングする。
【００８８】
次のステップ９０８では、地上コントローラ２３２が、フラグメントＩＤとパケットシーケンスＩＤとに基づいて、このルーティングされたＩＰパケットフラグメントを、前記関連付けられたＩＰパケットに再結合する。
【００８９】
通信チャンネルの設定の間に、衛星モデム、モジュール、またはトランシーバに関連付けられた各ＵＤＰ／ＩＰトンネルが、ユニークなＩＰアドレスに割り当てられる。地上コントローラは、フラグメントが送信されたトンネルに関連付けられたＩＰアドレスを、このフラグメントの宛先ＩＰアドレスとして使用する。この方法では、地上コントローラによって送信され、ＭＷＴに向けられたパケットは、それぞれ個別のＩＰアドレスを備えた複数のトンネルを介したフラグメントとして、ＭＷＴにルーティングされる。これによって、ＭＷＴコントローラは、ルーティングされたパケットフラグメントを結合することができる。
【００９０】
図１１は、追加の受信方法ステップ１０００のフローチャートである。初めの追加ステップ１００２では、ゲートウェイ局１８０が、複数の異なるＩＰパケット（例えば、モバイル部２０２のデータネットワーク２０８からの複数のＩＰパケット）に属するパケットフラグメントを受信する。複数の異なるＩＰパケットが、予め定めたＩＰパケットシーケンス規則に関連付けられる。例えば、この規則は、ＭＷＴ２０６がデータネットワーク２０８からＩＰパケットを受信した規則である。
【００９１】
次のステップ１００４では、方法９００のステップ９０６とステップ９０８とが、異なるＩＰパケットの各々について繰り返され、地上コントローラ２３２において、複数の再構築されたＩＰパケットが生成される。
【００９２】
次のステップ１００６では、地上コントローラ２３２が、パケットシーケンスＩＤに基づいて、予め定めたＩＰパケットシーケンス規則にしたがって、再構築された複数のＩＰパケットを並べる。これは、シーケンスＩＤによって示されたように、この再構築されたパケットが、モバイル部２０２において確立された予め定めたシーケンス規則に関して無秩序である場合、再構築パケットを再要求することを含んでいる。
【００９３】
ＩＰアドレスに基づいてゲートウェイ１８０からパケットフラグメントを転送することは有利である。なぜなら、フラグメントを結合し並べることは、インターネット（または他のデータネットワーク）上のどこでも起きうるからである。従って、第１の地理的位置において、ゲートウェイ１８０によって受信されたパケットフラグメントは、第１の地理的位置から離れた便利な第２の地理的位置において、結合され並べられることができる。
【００９４】
次のステップ１００８では、地上コントローラ２３２が、再構築され、並べられた（すなわち、規則的な）ＩＰパケットをルータ２３６に転送する。ルータ２３６は、このＩＰパケットを、宛先ＩＰアドレス（例えばコンピュータ端末２３６ａ〜２３６ｎ）に転送する。
【００９５】
図１２は、本発明の実施例に従って、方向３１０または方向３１２かの何れかで実行される方法１０２０の一例を示すフローチャートである。方法１０２０は、上記したような送信方法ステップの集合を表す第１の送信ステップ１０２２を含んでいる。次は受信ステップ１０２４もまた上記したように受信方法ステップの集合を表している。
【００９６】
図１３は、本発明の別の実施例にしたがった受信方法１１０２を、図１０に示す送信方法ステップに合わせて示す図である。別の受信方法１１０２は、上述した受信方法９００，１０００に類似している。また、図１３には、受信方法１１０２の結果生じる一連の受信パケットフラグメントと、この送信方法の結果生じる一連の送信パケットフラグメント（図１０にも示されている）とが示されている。
【００９７】
送信方向１１０４では、典型的なパケットフラグメント８１４が、上述したように送信方法４００に従って断片化され処理される。この結果生じるパケットフラグメント、例えばパケットフラグメント８４２１は、空気インタフェース２５０を介して、衛星フレーム８４６ａ〜８４６ｎで送信される。
【００９８】
受信方向１１０６では、パケットフラグメントをゲートウェイ局１８０か、またはＭＷＴ２０６かが送信したかによって、このパケットフラグメントが、ＭＷＴ２０６か、またはゲートウェイ局１８０かで受信される。送信されたパケットフラグメント８３０１に対応する一例である受信パケットフラグメント１１０８１は、リンクレイヤプロトコル（例えば、ＰＰＰ）処理ステップ１１１２において先ず処理される。ステップ１１１２では、リンクレイヤヘッダ８４０１が、受信パケット１１０８１から除去され、次のパケットフラグメント１１１４１が生成される。
【００９９】
パケットフラグメント１１２２１は、次にトランスポートレイヤプロトコル（例えばＵＤＰ／ＩＰ）処理ステップ１１２６において処理される。ステップ１１２６では、ＩＰヘッダ８２６１と、トランスポートレイヤヘッダ８２８１とが、パケットフラグメント１１２２１から除去され、パケットフラグメント１１３０１が生成される。ヘッダ圧縮が、送信方向１１０４において適用される場合には、パケットフラグメント１１１４は、ヘッダ解凍ステップ１１２０において処理され、解凍されたヘッダを含むパケットフラグメント１１２２１が生成される。
【０１００】
次のステップ１１３４は、複数のパケットフラグメントの並べ替え／逆多重化を行い、それぞれのシーケンスＩＤに従って並び替えられたパケットフラグメントを生成する。
【０１０１】
次のステップ１１４０では、フラグメントヘッダ８２４１が、パケット１１３０１から除去され、ＩＰパケットフラグメントＰ１が生成される。
【０１０２】
次のステップ１１４４では、ＩＰパケットフラグメントが、初期ＩＰパケット８１４に一致しており、再構築され、並び替えられたＩＰパケット１１５０へと集合化される。従って、受信方法１１０２は、シーケンスＩＤに従ってＩＰパケットフラグメントを並び替え、その後、既に並び替えられたパケットフラグメントからＩＰパケットを再構築する。一方、受信方法１０００は、まずＩＰパケットを再構築し、その後、この再構築されたＩＰパケットを並び替える。
【０１０３】
Ｖ．プロトコル接続性。
図１４は、上述したようなシステム２００の様々な要素間の典型的なレイヤプロトコル接続１２０２の図である。最低位／物理レイヤ接続性スレッド１２０４は、端末２１２ａとＭＷＴ２０６との間のイーサネット（登録商標）接続１２０６を含む。物理レイヤ１２０４はまた、ＭＷＴ２０６とゲートウェイ１８０との間の無線リンクプロトコル／空気インタフェース接続１２０８（空気インタフェース２５０に一致している）を含んでいる。物理レイヤ１２０４はまた、ゲートウェイ１８０とゲートウェイルータ２３０との間のイーサネット（登録商標）接続１２１０を含んでいる。
【０１０４】
物理レイヤ１２０４の上では、リンクレイヤ接続性スレッド１２２０が、ＭＷＴ２０６とゲートウェイ１８０との間の複数ｎのリンクレイヤデータセッションを含んでいる。このリンクレイヤデータセッションは、例えばＰＰＰのような典型的なリンクレイヤプロトコルに従って実行される。リンクレイヤ１２２０の上では、トランスポート／ネットワークレイヤ接続性スレッド１２２２が、ＭＷＴ２０６を地上コントローラ２３２に接続している複数ｎのトランスポートレイヤ（例えばＵＤＰ／ＩＰ）データトンネルを含んでいる。レイヤ１２２２の上では、ＩＰネットワークレイヤ接続性スレッド１２３０が、端末２１２ａとルータ２３６との間のＩＰ接続性を提供している。
【０１０５】
図１５は、ＭＷＴ２０６を地上コントローラ２３２に接続している典型的なＵＤＰ／ＩＰデータトンネル１２２２を示す図である。各トンネル１２２２は、自己に関連付けられた固有のＰＰＰセッションを有している。また、各ＰＰＰセッションは、固有のＵＤＰセッションを有している。ＵＤＰに対するＰＰＰの関係は１：１である。しかしながら、ＰＰＰまたはＵＤＰ処理は、実行中の多数のセッションを持つことができる。それは、ＭＷＴ２０６内のＵＤＰ１３０４における多数のインスタンス、および地上コントローラ２３２内のＵＤＰ１３０６における対応する多数のインスタンス（すなわち、ピアインスタンス）と称することができる。このＵＤＰセッションは、ＭＷＴ２０６内のＰＰＰ１３１０の多数のインスタンス、およびゲートウェイ１８０内のＰＰＰ１３１８の多数のインスタンス（すなわち、ピアインスタンス）を介して存在する。ＰＰＰ（１３１０／１３１８）における多数のインスタンスは、衛星通信チャンネル２４０の対応する一つを介して動作する。ＭＷＴで動作している典型的なＰＰＰ処理は、約２４のセッションを持つことができる。
【０１０６】
ＭＷＴコントローラ２１４は、ＩＰパケットを地上部２０４へ、および地上部２０４からルーティングするために使用されるＵＤＰトンネル１２２２のための終点を形成する。ＵＤＰトンネル１２２２は、地上コントローラ２３２においてＩＰパケットを並び替えるのと同様に、衛星モデム２１６を超えてＩＰパケットフラグメントを多重化するための便利なメカニズムを提供する。地上コントローラ２３２は、ＵＤＰトンネル１２２２のための別の終点を提供する。本発明はまた、衛星モデム（例えばモデム２１６ａ）毎に、単一のＰＰＰ接続／セッション（例えば１３１０ａ／１３０６ａ）を提供する。ＭＷＴ２０６とゲートウェイ１８０との間の複数ＰＰＰセッションを確立し、このＰＰＰセッションの全ての間における空気インタフェース２５０を介して送信されるデータを配信することによって、空気インタフェース２５０を介して可能なものよりも高い速度で、効果的なデータ送信を実現する。
【０１０７】
ＭＷＴ２０６は、衛星モデム２１６の各々に対して通信チャンネル２４０のうちの一つを確立し、衛星モデムの各々に対して一つのＰＰＰセッションをサポートする。ＭＷＴ２０６が、衛星通信チャンネル２４０のうちの全てからの有効な帯域幅を利用することができるように、ＭＷＴ２０６は、必要に応じて、全ての有効なＰＰＰセッションのうちの幾つかの、あるいは時々は全ての有効なＰＰＰセッションを配信する。地上部２０４では、このＰＰＰセッションは、ゲートウェイ１８０で終了する。各ＰＰＰセッションは、関連したＩＰアドレスを持っている。
【０１０８】
地上部２０４では、ゲートウェイコントローラ２２８が、インターネット（例えば、データネットワーク２３４）から受信したＩＰパケットフラグメントを、衛星モデム２２６のうちの適切な一つに割り当てる。これを行うために、ゲートウェイコントローラ２２８は、受信したＩＰパケットフラグメントを、パケットフラグメントＩＰヘッダ内のＩＰアドレスに関連付けられたＰＰＰセッション（それから、このＰＰＰセッションに関連付けられた衛星モデム）に割り当てる。 ＭＷＴ２０６に接続された端末機器のＩＰアドレス（例えば、コンピュータ２１６のうちの何れか）は、異なるＰＰＰセッションに割り当てられたＩＰアドレスと異なっているので、この実施例は、この端末機器に向けられたＩＰパケットをトンネルするために、トンネリングメカニズムを用いる。トンネリングは、多数のＵＤＰ／ＩＰトンネル１２２２によって達成される。ここで、各ＵＤＰ／ＩＰは、ＰＰＰセッションのうちの対応する一つに関連付けられたＩＰアドレスを備えている。トンネリングによって、ＩＰパケット断片化とＩＰパケットフラグメント集合化におけるパケット遅延を低減することができる。そして、端末機器（例えばコンピュータ２１２／コンピュータ２３６）へ／から送信されたインターネットＩＰパケットに関する宛先ＩＰアドレスへのＩＰパケットのシーケンスに従った配信は、ＭＷＴ２０６と地上コントローラ２３２との間でトンネルされる。これは、ＩＰパケットが最終宛先に転送される前に、多数の衛星通信チャンネルを介して受信されたＩＰパケットの再並べ替えを容易にするために行われる。このようなＩＰパケットのシーケンスに従った配信は、Van Jacobson Fast-Retransmit現象として知られ、データスループットの低減をもたらす望ましくない現象を有利に回避する。
【０１０９】
送信遅延は、ＩＰパケット送信スループットの最大化を図る場合における別の重要な要因である。低いデータ送信スループットを持つ通信リンクでは、大きなＩＰパケットに関連した送信遅延は、ＩＰパケット毎の全体の送信遅延を支配する傾向にある。多数の通信チャンネルを介して多数のＩＰパケットが同時に送信できるにもかかわらず、「ＴＣＰウィンドウ」として知られた特性が直ちに得られない場合には、全ての有効な通信チャンネルをビジーに保つのに十分な数のＩＰパケットがないからであろう。通信端末間のＩＰパケットの大きな往復送信遅延は、このＴＣＰウィンドウをゆっくりと生じさせ、結果として、スループットの低下をもたらす。従って、そのようなＩＰパケット送信遅延を低減することと、ＴＣＰウィンドウをゆっくりと生じさせることとは望ましいことである。これは、多数の通信リンクを使うことによって達成される。ここで、各通信リンクは、ＰＰＰセッションの自己のインスタンスを備えており、各ＩＰパケットを、多数の小さなＩＰパケットフラグメントに分割し、全ての有効な通信リンクを介してフラグメントを同時に送信しており、これによって、ＩＰパケットの送信遅延を低減している。このようにして、本発明は、ＴＣＰウィンドウをより早く生じさせている。
【０１１０】
上述したように、パケットフラグメントは、ＵＤＰ／ＩＰヘッダを用いて、ＰＰＰリンクを介してトンネルされる。例えば、仮に、端末機器（例えばコンピュータ２１２／２３６）からの単一のＩＰパケットが５つのフラグメントに分割され、ＵＤＰ／ＩＰトンネルを用いて５つの同時のＰＰＰセッションを介して送信された場合、完全なＩＰパケットを送信する時間の１／５の時間しか使わない。これらパケットフラグメントは、ＵＤＰ／ＩＰトンネルからのパケットを逆トンネリングした後に、ＰＰＰリンクの他端において、オリジナルのＩＰパケットに再集合化される。このトンネリングメカニズムは、終点（ＭＷＴ２０６および地上コントローラ２３２）を提供する。終点では、空気を介して送信されるためにパケットが断片化され、最終宛先に転送される前に再集合化される。
【０１１１】
上述した典型的な実施例では、ＭＷＴ２０６に接続された端末機器は、ネットワークレイヤプロトコルとしてＩＰを用いる。ＩＰレイヤ上のプロトコルレイヤは、ＩＰプロトコルスイートで有効な幾つかのプロトコルの一つである。
【０１１２】
ＶＩ．コントローラ。
図１６は、ＭＷＴ２０６におけるコントローラ２１４、および地上部２０４におけるコントローラ２２８，２３２を代表しているコントローラ（これはまた複数のコントローラ、プロセッサ、またはプロセシング要素でもありうる）１４００の一例を示す機能ブロック図である。コントローラ１４００は、本発明の方法を実行するための以下に示すコントローラモジュールを含んでいる。フラグメンタ／デフラグメンタ１４０２は、ＩＰパケットを、送信方向のパケットフラグメントに断片化し、このパケットフラグメントを、受信方向の再構築されたＩＰパケットにデフラグメント（すなわち、集合化）する。スケジューラ／マルチプレクサ１４０４は、ＩＰパケットフラグメントの送信をスケジュールする。トランスポート−プロトコル／ＩＰモジュール１４０６は、トランスポートプロトコルを実行する。モジュール１４０６は、送信方向におけるパケットフラグメントにトランスポートレイヤヘッダとＩＰレイヤヘッダを付加し、受信方向におけるパケットフラグメントからそれらを取り除く。リンクレイヤプロトコルモジュール１４１０は、衛星チャンネル２４０を介して、リンクレイヤプロトコルを実行する。モジュール１４１０は、送信方向にあるパケットフラグメントにリンクレイヤプロトコルヘッダを加え、受信方向にあるパケットフラグメントからそれを除去するものであって、オプションとしてのコンプレッサ／デコンプレッサ１４０８と、無線リンクモジュール１４１２と、シーケンサ／逆多重化部１４１４と、リンクマネジャ１４１６とを備えている。コンプレッサ／デコンプレッサ１４０８は、送信方向にあるＩＰパケットフラグメントにおける様々なヘッダを圧縮し、受信方向にあるそれを解凍する。無線リンクモジュール１４１２は、衛星リンクプロトコル（すなわち、無線リンクプロトコル）にしたがって衛星チャンネル２４０を介してデータを送受信する。シーケンサ／逆多重化部１４１４は、各パケットフラグメントに付加されたパケットシーケンスＩＤにしたがって、再構築されたＩＰパケット（およびパケットフラグメント）を並べ替える。リンクマネジャ１４１６は、衛星通信リンクの確立およびクリアを行う。リンクマネジャ１４６１はまた衛星リンクデータエラー率を監視し、遅延マネジャ１４１８は、送信されたパケットフラグメントと再送信されたパケットフラグメントとの間の遅延時間を監視する。
【０１１３】
上述したコントロールモジュール１４０２〜１４１８の全ては、モバイル部２０２のＭＷＴ２０６に存在することができる。一方、コントローラモジュール１４０２〜１４１８は、地上部コントローラ２２８，２３２に分配される。例えば、コントローラモジュール１４０４，１４０８，１４１０，１４１２は、ゲートウェイコントローラ２２８に存在することができる。一方、コントローラモジュール１４０２，１４０４，１４０６，１４１４，１４１６，１４１８は、地上コントローラ２３２に存在することができる。他のコントローラモジュールの分配も可能である。
【０１１４】
ＶＩＩ．コンピュータシステム。
本発明の方法は、コンピュータベースのシステムのコンテクストで動作しているコントローラ（例えば、ＭＷＴコントローラ２１４、ゲートウェイコントローラ２２８，および地上コントローラ２３２におけるコントローラ）を使って実行される。これらのコントローラのうちのそれぞれは、一つ以上のコントローラを表している。本発明を実行するために通信専用のハードウェアを使用することが可能であるが、一般用途コンピュータシステムであっても、完全なる記述が以下になされている。本発明は、好適には、コントローラ２１４，２２８，２３２によって実行されるソフトウェアと、ハードウェアとの組み合わせで実現される。その結果、本発明の局面は、これらに限定される訳ではないが専用のプロセッサ、マイクロプロセッサ等を含むプロセシングシステム、またはコンピュータシステムによって実行されうる。
【０１１５】
このようなコンピュータシステム１５００の例は、図１７に示されている。本発明では、上述した方法またはプロセス、例えば方法４００〜１０２０は、コンピュータシステム１５００（別個のコンピュータシステム１５００がコントローラ２１４，２２８，２３２の各々に関連している）で実行される方法ステップを含んでいる。このコンピュータシステム１５００は、一つ以上のプロセッサを含む。このプロセッサ１５０４は、アドレスバス、データバスおよび／またはデータネットワークを含むバスのような通信インフラ１５０６に接続されている。様々なソフトウェア実装が、この典型的なコンピュータシステムについて記載されている。この記載を読んだ後に、関連技術分野における熟練者であれば、他のコンピュータシステムおよび／またはアーキテクチャを用いて、如何にして本発明を実行できるかが明らかになろう。
【０１１６】
コンピュータシステム１５００はまた、主メモリ１５０８、好ましくはランダムアクセスメモリ（ＲＡＭ）を含み、また、第２メモリ１５１０をも備えうる。第２メモリ１５１０は、例えば、ハードディスクドライブ１５１２、および／またはフロッピー（登録商標）ディスクドライブ、磁気テープドライブ、光ディスクドライブ等を表しているリムーバブル記憶ドライブ１５１４を含みうる。このリムーバブル記憶ドライブ１５１４は、良く知られた方法で、リムーバブル記憶ユニット１５１８からの読み出し、および／またはリムーバブル記憶ユニット１５１８への書き込みを行う。リムーバブル記憶ユニット１５１８は、フロッピー（登録商標）ディスク、磁気テープ、光ディスク等を表しており、リムーバブル記憶ドライブ１５１４によって読み出し、および書き込みがなされる。理解されるように、このリムーバブル記憶ユニット１５１８は、コンピュータソフトウェアおよび／またはデータを格納したコンピュータ利用可能な記憶媒体を含んでいる。
【０１１７】
別の実施では、第２メモリ１５１０が、コンピュータプログラムまたは他の命令がコンピュータシステム１５００にロードされるようにする他の類似手段を含みうる。このような手段は、例えば、リムーバブル記憶ユニット１５２２とインタフェース１５２０を含みうる。このような手段の一例は、（ビデオゲームデバイスで見られるような）プログラムカートリッジとカートリッジインタフェース、（ＥＰＲＯＭまたはＰＲＯＭのような）リムーバブルメモリチップとそれに関連するソケット、ソフトウェアとデータとがリムーバブル記憶ユニット１５２２からコンピュータシステム１５００へと転送されるようにする他のリムーバブル記憶ユニット１５２２およびインタフェース１５２０を含んでいる。
【０１１８】
コンピュータシステム１５００はまた、通信インタフェース１５２４をも含みうる。通信インタフェース１５２４によって、ソフトウェアとデータとがコンピュータシステム１５００と外部デバイスとの間で送信されるようになる。通信インタフェース１５２４の一例は、モデム、（イーサネット（登録商標）カードのような）ネットワークインタフェース、通信ポート、ＰＣＭＣＩＡスロットとカード、特別なＵＳＢポート等を含みうる。これらに限定されるものではないが、他の例は、「Ｂｌｕｅｔｏｏｔｈ」と称された無線通信のための良く知られた新しいインタフェース規格であって、８０２．１１，８０２．１１ｂ、または８０２．１１ａと称されたＩＥＥＥ規格にしたがって製造された回路によって提供された無線イーサネット（登録商標）接続を含んでいる。これらのデバイスのタイプは、無線デバイス用のハブまたは基地局として機能するネットワークに物理的に接続されたデバイスを用いて、信号を無線転送するためのネットワークにポータルまたは接続（ノード）を提供する。このような装置またはデバイスは当該技術で知られている。通信インタフェース１５２４を経由して転送されたソフトウェアとデータは、電子、電磁、光学、または通信インタフェース１５２４によって受信されることが可能な他の信号でありうる型式の信号１５２８である。これらの信号１５２８は、通信経路１５２６を用いて、通信インタフェース１５２４に提供される。通信経路１５２６は、信号１５２８を搬送し、有線すなわちケーブル、光ファイバ、電話線、携帯電話リンク、ＲＦリンク、および他の通信チャンネルを使って実施されうる。
【０１１９】
本明細書において、「コンピュータプログラム媒体」と「コンピュータ使用可能な媒体」という用語は、一般に、リムーバブル記憶ドライブ１５１４、ハードディスクドライブ１５１２に搭載されたハードディスク、および信号１５２８等の媒体を称するために使用される。これらのコンピュータプログラム製品は、コンピュータシステム１５００にソフトウェアを提供するための方法である。
【０１２０】
コンピュータプログラム（コンピュータコントローラロジックとも呼ばれる）は、主メモリ１５０８および／または第２メモリ１５１０に格納されている。コンピュータプログラムはまた、通信インタフェース１５２４を介して受信されうる。そのようなコンピュータプログラムが実行されることによって、コンピュータシステム１５００は、ここに述べた本発明を実施できるようになる。特に、このコンピュータプログラムが実行されることによって、プロセッサ１５０４が本発明のプロセスを実施できるようになる。従って、そのようなコンピュータプログラムは、コンピュータシステム１５００のコントローラを表している。一例によって、本発明の実施例では、コントローラ２１４，２２８，２３２によって実行されるプロセスは、コンピュータコントロールロジックによって実行することができる。本発明がソフトウェアを使って実施される場合、このソフトウェアは、コンピュータプログラム製品に格納され、リムーバブル記憶ドライブ１５１４、ハードドライブ１５１２、または通信インタフェース１５２４を用いてコンピュータシステム１５００にロードされる。
【０１２１】
ＶＩＩＩ．結論。
本発明の種々の実施例が上述された一方、これらは例としてのみ表されたものであって、限定されるものではないと理解されたい。従って、本発明の幅と範囲は、上述された如何なる典型的な実施例および構成にも限定されるものではなく、請求項とその均等物とにしたがってのみ定義されるべきである。
【０１２２】
本発明は、特別な機能とそれらの関係の性能を示す機能構成ブロックの助けを借りて上記された。これら機能構成ブロックの境界は、記載の便利さの観点から恣意的に定義されている。特別な機能とそれらの関係が適切に実行される限り、別の境界を定義することも可能である。従って、そのような別の境界もまた、クレイムされた発明の範囲および思想の範囲に属する。当該技術分野の熟練者であれば、これらの機能構成ブロックは、ディスクリート構成成分、アプリケーション特有の集積回路、ゲートアレイ、適切なソフトウェア等またはそれらの組み合わせを実行するプロセッサによって実行されることを認識するであろう。従って、本発明の幅と範囲は、上述された如何なる典型的な実施例にも限定されるものではなく、請求項とその均等物とにしたがってのみ定義されるべきである。
【図面の簡単な説明】
【０１２３】
【図１】使用に適した衛星通信システムの一例を示す図である。
【図２】図１のシステムからの衛星のブロック図である。
【図３】中位および高位のデータ速度転送を実現するために、多数のコード分割多元アクセス衛星通信チャンネルをまとめるシステムの一例を示すブロック図である。
【図４】図３に示すモバイル部と地上部との間の受信／送信の相互関係を示す図である。
【図５】図３のシステムに好適な多数の通信チャンネルをまとめる送信方法の一例を示すフローチャートである。
【図６】図５の方法を拡張した送信方法ステップの一例を示すフローチャートである。
【図７】送信スケジュール方法の一例を示すフローチャートである。
【図８】送信スケジュール方法の別の一例を示すフローチャートである。
【図９】図５からの送信方法の一部を、本発明による方法によって生成されたパケットフラグメントの系列例と共に示す、実施例を説明するのに好適な示す図である。
【図１０】図３のシステムに好適な多数の通信チャンネルをまとめる受信方法の一例を示すフローチャートである。
【図１１】図１０の方法を拡張した受信方法ステップのフローチャートである。
【図１２】図３のシステムで実現されるシステム方法の一例を示すフローチャートである。
【図１３】図１０に示す送信方法ステップと結合した受信方法の一例を示す図。
【図１４】図３のシステムの様々な要素間の階層化プロトコル接続の一例を示す図である。
【図１５】図３のシステムのＭＷＴと地上コントローラを接続するＵＤＰ／ＩＰデータトンネルの一例を示す図である。
【図１６】図３のシステムのＭＷＴコントローラの一例を示す機能ブロック図である。
【図１７】本実施例の方法を実現するためのコンピュータシステムの一例を示すブロック図である。
【符号の説明】
【０１２４】
１００…衛星通信システム、１０１〜１０４…セグメント、１０９Ａ…アンテナ、１２０…衛星、１２０Ａ…リターントランスポンダ、１２０Ｂ…順方向トランスポンダ、１３０…無線ユーザ端末、１３０Ａ…無指向性アンテナ、１３６…衛星動作制御センタ、１３８…地上動作制御センタ、１３９…地上データネットワーク、１４０，１５０，１６０…ユーザ端末、１８０…ゲートウェイ、１９０Ａ…順方向フィーダリンク、１９０Ｂ…リターンフィーダリンク、１９２…電話ネットワーク、１９４…データネットワーク、１９５…コンピュータ端末、１９６…電話機、１９７…コンピュータ端末、２００…システム、２０２…モバイル部、２０４…地上部、２０６…モバイル無線端末、２０８…データネットワーク、２１０…通信リンク、２１０ａ…衛星リンク、２１２…コンピュータ端末、２１４…コントローラ、２１６…衛星モデム、２１８…データ接続、２２０…出力結合分割アセンブリ、２２２ａ…ＲＦ接続、２２６…衛星モデム、２２８，２３０…ゲートウェイコントローラ、２３２…地上コントローラ、２３４…地上ネットワーク、２３６…コンピュータ端末、２４０…衛星通信リンク、２５０…空気インタフェース、１４００…コントローラ、１４０２…フラグメンタ／デフラグメンタ、１４０４…スケジューラ／マルチプレクサ、１４０６…ＵＤＰ／ＩＰモジュール、１４０８…コンプレッサ／デコンプレッサ、１４１０…リンクレイヤプロトコルモジュール、１４１２…無線リンクモジュール、１４１４…シーケンサ／逆多重化部、１４１６…リンクマネジャ、１４１８…遅延マネジャ、１５００…コンピュータシステム、１５０４…プロセッサ、１５０６…通信インフラ、１５０８…主メモリ、１５１０…第２メモリ、１５１２…ハードディスクドライブ、１５１４…リムーバブル記憶ドライブ、１５１８…リムーバブル記憶ユニット、１５２０…インタフェース、１５２２…リムーバブル記憶ユニット、１５２４…通信インタフェース、１５２６…通信経路
【図１】
2005507211.tif 000003
【図２】
2005507211.tif 000004
【図３】
2005507211.tif 000005
【図４】
2005507211.tif 000006
【図５】
2005507211.tif 000007
【図６】
2005507211.tif 000008
【図７】
2005507211.tif 000009
【図８】
2005507211.tif 000010
【図９】
2005507211.tif 000011
【図１０】
2005507211.tif 000012
【図１１】
2005507211.tif 000013
【図１２】
2005507211.tif 000014
【図１３】
2005507211.tif 000015
【図１４】
2005507211.tif 000016
【図１５】
2005507211.tif 000017
【図１６】
2005507211.tif 000018
【図１７】
2005507211.tif 000019
【国際公開パンフレット】
2005507211.tif 000020
2005507211.tif 000021
2005507211.tif 000022
2005507211.tif 000023
2005507211.tif 000024
2005507211.tif 000025
2005507211.tif 000026
2005507211.tif 000027
2005507211.tif 000028
2005507211.tif 000029
2005507211.tif 000030
2005507211.tif 000031
2005507211.tif 000032
2005507211.tif 000033
2005507211.tif 000034
2005507211.tif 000035
2005507211.tif 000036
2005507211.tif 000037
2005507211.tif 000038
2005507211.tif 000039
2005507211.tif 000040
2005507211.tif 000041
2005507211.tif 000042
2005507211.tif 000043
2005507211.tif 000044
2005507211.tif 000045
2005507211.tif 000046
2005507211.tif 000047
2005507211.tif 000048
2005507211.tif 000049
2005507211.tif 000050
2005507211.tif 000051
2005507211.tif 000052
2005507211.tif 000053
2005507211.tif 000054
2005507211.tif 000055
2005507211.tif 000056
2005507211.tif 000057
2005507211.tif 000058
2005507211.tif 000059
2005507211.tif 000060
2005507211.tif 000061
2005507211.tif 000062
2005507211.tif 000063
2005507211.tif 000064
2005507211.tif 000065
2005507211.tif 000066
2005507211.tif 000067
2005507211.tif 000068
2005507211.tif 000069
2005507211.tif 000070
2005507211.tif 000071
2005507211.tif 000072
2005507211.tif 000073
2005507211.tif 000074
2005507211.tif 000075
2005507211.tif 000076
2005507211.tif 000077
2005507211.tif 000078
2005507211.tif 000079
【国際公開パンフレット（コレクトバージョン）】
2005507211.tif 000080
2005507211.tif 000081
【国際調査報告】
2005507211.tif 000082
2005507211.tif 000083
2005507211.tif 000084